(57)【要約】【課題】マルチインタフェース無線周波数トランスポンダデバイスの設計及び動作のための技術を提供する。【解決手段】マルチインタフェーストランスポンダ（ＭＩＴ）デバイス、例えば位置タグデバイスなどの電力管理を実施する方法。ＭＩＴデバイスは、例えば、ＭＩＴデバイスの移動を検出すること、ウェイクアップ信号を受信すること、輸送モードにおける遷移の指示を受信すること、及び／又は、例えば、別のデバイスとの接触が閾値期間を超えて欠如していることに基づいて、ＭＩＴデバイスが紛失したかもしれないことを検出すること、などの検出されたイベントに基づいて、様々な電力状態の間を遷移してもよい。【選択図】図７
2020141403.tif 000002
【特許請求の範囲】
【請求項１】
第１の無線アクセス技術（ＲＡＴ）をサポートする回路を備える第１の無線機と、
第２のＲＡＴをサポートする回路を備える第２の無線機と、
前記第１の無線機及び前記第２の無線機に結合された１つ以上のプロセッサと、を備えるマルチインタフェーストランスポンダ（ＭＩＴ）デバイスであって、
前記１つ以上のプロセッサは、前記ＭＩＴデバイスに、
前記第２の無線機が無効になる低電力モードに入るようにさせ、
前記低電力モードにある間に、隣接無線デバイスからウェイクアップ信号を受信させ、
前記ウェイクアップ信号の受信に応答して、より高い電力モードに遷移した後に、前記より高い電力モードにおいて有効化された前記第２の無線機を介してビーコンを送信させる、ように構成されている、
マルチインタフェーストランスポンダ（ＭＩＴ）デバイス。
【請求項２】
前記隣接無線デバイスは、コンパニオンデバイスを備え、前記コンパニオンデバイスは、位置サーバへの登録において前記ＭＩＴデバイスを支援し、前記コンパニオンデバイス及び前記ＭＩＴデバイスは、前記位置サーバと関連付けられている、請求項１に記載のＭＩＴデバイス。
【請求項３】
前記１つ以上のプロセッサは、前記ＭＩＴデバイスに、
前記隣接無線デバイスから、前記ＭＩＴデバイスに関連付けられた位置が前記位置サーバにて更新されたという指示を受信させ、
前記指示に少なくとも部分的に基づいて、前記低電力モードに遷移させる、ように更に構成されている、
請求項２に記載のＭＩＴデバイス。
【請求項４】
前記ウェイクアップ信号は送信速度を指示し、前記送信速度は、
前記隣接無線デバイスによって検出された輸送モード、又は
前記隣接無線デバイスによって検出された予想される媒体輻輳、
のうちの１つ以上に少なくとも部分的に基づく、
請求項２に記載のＭＩＴデバイス。
【請求項５】
前記ウェイクアップ信号は送信電力を指示し、前記送信電力は、
前記隣接無線デバイスによって検出された輸送モード、又は
前記隣接無線デバイスによって検出された予想される媒体輻輳、
のうちの１つ以上に少なくとも部分的に基づく、
請求項２に記載のＭＩＴデバイス。
【請求項６】
前記第２の無線機は、超広帯域無線機を備える、請求項１に記載のＭＩＴデバイス。
【請求項７】
前記隣接無線デバイスは、非コンパニオンデバイスを備え、前記非コンパニオンデバイス及び前記ＭＩＴデバイスは、位置サーバと関連付けられている、
請求項１に記載のＭＩＴデバイス。
【請求項８】
前記ウェイクアップ信号は前記第１の無線機を介して受信され、前記第１の無線機は、Ｂｌｕｅｔｏｏｔｈ無線機又は超低電力無線機のうちの１つを備える、
請求項１に記載のＭＩＴデバイス。
【請求項９】
前記１つ以上のプロセッサは、前記ＭＩＴデバイスに、
コンパニオンデバイスと通信してからの継続時間に少なくとも部分的に基づいて、前記ＭＩＴデバイスの第１の状態を判定させるように更に構成されており、前記コンパニオンデバイスは、位置サーバへの登録において前記ＭＩＴデバイスを支援し、前記コンパニオンデバイス及び前記ＭＩＴデバイスは、前記位置サーバと関連付けられており、
前記ＭＩＴデバイスに、前記第１の状態に基づいて紛失動作モードに遷移させるように更に構成されている、
請求項１に記載のＭＩＴデバイス。
【請求項１０】
前記紛失動作モードにある場合に、前記１つ以上のプロセッサは、前記ＭＩＴデバイスに、
前記第１の無線機を介して、少なくとも部分的に昼間時間に対応する１日の第１の部分の間に、第１の周期的間隔にてビーコンを送信させ、
前記第１の無線機を介して、昼間以外の時間に少なくとも部分的に対応する１日の第２の部分の間に、前記第１の周期的間隔よりも長い第２の周期的間隔にてビーコンを送信させ、又は
前記継続時間又は時刻のうちの１つに少なくとも部分的に基づいて、前記第１の無線機を介して送信されるビーコンの送信電力を増加させる、ように更に構成されている、
請求項９に記載のＭＩＴデバイス。
【請求項１１】
前記第１の無線機は、Ｂｌｕｅｔｏｏｔｈ無線機を備える、
請求項１０に記載のＭＩＴデバイス。
【請求項１２】
前記ＭＩＴデバイスの前記第１の状態は更に、隣接無線デバイスからの位置更新又は信号受信の指示からの継続時間に少なくとも部分的に基づく、
請求項１０に記載のＭＩＴデバイス。
【請求項１３】
装置であって
メモリと、
前記メモリと通信する少なくとも１つのプロセッサと、を備え、
前記少なくとも１つのプロセッサは、
前記少なくとも１つのプロセッサと通信する超広帯域（ＵＷＢ）無線機が無効にされる低電力モードで動作し、
前記低電力モードで動作している間に、隣接無線デバイスからウェイクアップ信号を受信し、
前記ウェイクアップ信号の受信に応答して、前記低電力モードから遷移して出て前記ＵＷＢ無線機を有効にする命令を生成し、
前記ＵＷＢ無線機を介して、前記隣接無線デバイスに位置ビーコンを送信する命令を生成する、
ように構成されている、装置。
【請求項１４】
前記ウェイクアップ信号は、前記少なくとも１つのプロセッサと通信するＢｌｕｅｔｏｏｔｈ無線機又は超低電力無線機のうちの１つを介して受信される、
請求項１３に記載の装置。
【請求項１５】
前記ウェイクアップ信号は、前記位置ビーコンに対する送信速度及び送信電力を指示する、
請求項１３に記載の装置。
【請求項１６】
前記少なくとも１つのプロセッサは、
前記隣接無線デバイスから、前記装置に関連付けられた位置が位置サーバで更新されたという指示を受信し、
前記低電力モードに遷移させ前記ＵＷＢ無線機を無効にするための命令を生成する、ように更に構成されている、
請求項１３に記載の装置。
【請求項１７】
プログラム命令を記憶する非一時的コンピュータ可読記憶媒体であって、前記プログラム命令は、マルチインタフェーストランスポンダ（ＭＩＴ）デバイスの処理回路によって、
前記ＭＩＴデバイスの超広帯域（ＵＷＢ）無線機が、非アクティブ化される低電力モードで動作させ、
前記低電力モードで動作している間に、隣接無線デバイスからウェイクアップ信号を受信させ、
前記ウェイクアップ信号の受信に応答して、より高い電力モードに遷移した後に、前記より高い電力モードへの前記遷移の一部としてアクティブ化された前記ＵＷＢ無線機を介して位置ビーコンを送信させる、ように実行可能である、
非一時的コンピュータ可読記憶媒体。
【請求項１８】
前記ウェイクアップ信号は、前記位置ビーコンに対する送信速度及び送信電力を指示し、前記送信速度及び前記送信電力のそれぞれは、
前記隣接無線デバイスによって検出された輸送モード、又は
前記隣接無線デバイスによって検出された予想される媒体輻輳、のうちの１つ以上に少なくとも部分的に基づく、
請求項１７に記載の非一時的コンピュータ可読記憶媒体。
【請求項１９】
前記ウェイクアップ信号は、前記ＭＩＴデバイスのＢｌｕｅｔｏｏｔｈ無線機又は超低電力無線機のうちの１つを介して受信される、
請求項１７に記載の非一時的コンピュータ可読記憶媒体。
【請求項２０】
プログラム命令が、
前記隣接無線デバイスから、前記ＭＩＴデバイスに関連付けられた位置が決定されたという指示を受信させ、
前記低電力モードに遷移させ前記ＵＷＢ無線機を無効にするための命令を生成させる、ように更に実行可能である、
請求項１７に記載の非一時的コンピュータ可読記憶媒体。
【発明の詳細な説明】
【技術分野】
【０００１】
（優先権データ）
本出願は、２０１９年２月２６日に出願された「Ｍｕｌｔｉ−Ｉｎｔｅｒｆａｃｅ  Ｔｒａｎｓｐｏｎｄｅｒ  Ｄｅｖｉｃｅ」と題する米国仮出願番号第６２／８１０，４９２号の優先権の利益を主張するものであり、あたかも本明細書に十分かつ完全に記載されているかのように、その全体が参照により本明細書に組み込まれる。
【０００２】
（技術分野）
本出願は、マルチインタフェース無線周波数トランスポンダデバイス（又は「タグ」）の設計及び動作のための技術を含む無線通信に関する。
【背景技術】
【０００３】
電子追跡デバイスなどの位置タグが、関連付けられた人々及び／又は対象物の位置をユーザが追跡するための多数の方法を構築してきた。例えば、全地球測位システム（ＧＰＳ）技術を使用して、人物に関連付けられたタグ付き対象物の位置を判定することができ、位置を別のデバイスに通信することができる。更なる例として、位置タグは、重要な品目（例えば、キー、財布、ブリーフケース、衣類、バックパック、コンピューティングデバイス、識別用品目など）に取り付けられ、コンパニオンデバイス（例えば、電話、タブレット、ラップトップコンピュータ、モノのインターネット（ＩｏＴ）デバイスなど）との通信を介して、位置タグは、重要な品目の位置を更新し、品目が見つからない場合に回復を手助けすることができる。
【０００４】
従来の位置タグ（又は追跡デバイス）及び対応するシステムは、典型的には１つ以上の短所を有する。例えば、近距離通信の外部にある位置タグとの通信は、フォームファクタと比較して相当量の電力を必要とする。したがって、位置タグの電池寿命は、多くの場合、限定される。加えて、このようなデバイスの長距離通信は比較的高価であり、多くの場合、関連付けられた電子デバイス（例えば、モバイルデバイス）と関連して動作するために高度な回路を必要とする。加えて、位置タグ用の低電力オプションは、多くの場合、近くにある対象物との通信に限定され、そのため追跡デバイス（単数及び複数）に関連付けられたユーザが位置タグのごく近く（例えば、近距離）にいることが必要であり、そのようなデバイスの有用性が限定される場合がある。
【発明の概要】
【０００５】
本明細書に記載される実施形態は、マルチインタフェーストランスポンダ（ＭＩＴ）デバイス、例えば位置タグデバイスなどに関する。加えて、本明細書に記載される実施形態は、ＭＩＴデバイスの電力管理、並びにそのようなデバイスの様々な用途に関する。いくつかの実施形態は、例えば、位置サーバを用いてＭＩＴデバイスの位置を決定及び／又は更新する、及び／又は、位置を間違えた場合及び／又は紛失した場合に、ＭＩＴデバイスのユーザがＭＩＴデバイスを物理的に位置決めすることを手助けするために、ＭＩＴデバイスと通信するように構成されている無線局に関する。
【０００６】
いくつかの実施形態では、ＭＩＴデバイスは、第１の電力状態で動作している間に、少なくとも部分的にイベントの検出に基づいて、第２の電力状態に遷移することを決定するように構成されていてもよい。いくつかの実施形態では、イベントは、ＭＩＴデバイスの第１のインタフェース又は動き感知回路のうちの１つを介して検出可能であってもよい。更に、第２の電力状態で動作している間に、ＭＩＴデバイスは、ＭＩＴデバイスの第２のインタフェース又は第３のインタフェースのうちの１つを介して、１つ以上のビーコンを送信するように構成されていてもよい。いくつかの実施形態では、第２のインタフェース又は第３のインタフェースの選択は、少なくとも部分的にイベントに基づいてもよい。いくつかの実施形態では、第１のインタフェースは超低電力無線周波数（ＲＦ）インタフェース（例えば、ウェイクアップ無線機及び／又はウェイクアップ受信機など）であってもよく、第２のインタフェースはＢｌｕｅｔｏｏｔｈ（登録商標）インタフェースであってもよく、第３のインタフェースは超広帯域（ＵＷＢ）ＲＦインタフェースであってもよい。いくつかの実施形態では、第１の電力状態は、低電力消費（例えば、スリープ）状態に関連付けられていてもよく、第２の電力状態は、より高い電力消費状態に関連付けられていてもよい。例えば、第２の状態は、第１又は第２の速度でのＢｌｕｅｔｏｏｔｈ（登録商標）ビーコン（又は信号）の送信に関連付けられていてもよく、及び／又はＵＷＢビーコン（又は信号）の送信に関連付けられていてもよい。いくつかの実施形態では、ＭＩＴデバイスは、隣接無線デバイスから、ＭＩＴデバイスに関連付けられた位置が、隣接無線デバイスとＭＩＴデバイスの両方に関連付けられ得る位置サーバにおいて更新されたという指示を受信するように構成されていてもよい。指示を受信した時点で、ＭＩＴデバイスは、少なくとも部分的に指示に基づいて、第１の電力状態に遷移するように構成されていてもよい。
【０００７】
いくつかの実施形態では、ＭＩＴデバイスは、第２の無線機が無効になる低電力モードに入り、低電力モードにある間に、隣接無線デバイスからウェイクアップ信号を受信するように構成されていてもよい。いくつかの実施形態では、ウェイクアップ信号は、低電力／超低電力（ＬＰ／ＵＬＰ）通信を介して受信されてもよい。ＭＩＴデバイスは、ウェイクアップ信号の受信に応答して、より高い電力モードに遷移した後に、第２の無線機を介してビーコンを送信するように構成されていてもよい。いくつかの実施形態では、ウェイクアップ信号は、隣接無線デバイスによって検出された輸送モードのうちの１つ以上に少なくとも部分的に基づき得る送信速度、及び／又は隣接無線デバイスによって検出された予想される媒体輻輳を示し得る。いくつかの実施形態では、ウェイクアップ信号は、隣接無線デバイスによって検出された輸送モードのうちの１つ以上に少なくとも部分的に基づき得る送信電力、及び／又は隣接無線デバイスによって検出された予想される媒体輻輳を示し得る。いくつかの実施形態では、第２の無線機は、超広帯域無線機を備えてもよい。
【０００８】
いくつかの実施形態では、ＭＩＴデバイスは、ＭＩＴデバイスの超広帯域（ＵＷＢ）無線機が無効化され得る低電力モードで動作するように構成されてもよい。ＭＩＴデバイスは、低電力モードで動作している間に、隣接無線デバイスからウェイクアップ信号を受信し、ウェイクアップ信号の受信に応答して、低電力モードから遷移して出てＵＷＢ無線機を有効にするように構成されてもよい。いくつかの実施形態では、ウェイクアップ信号は、例えば、隣接無線デバイスとのＵＬＰ／ＬＰ通信を介して、超低電力無線によって受信されてもよい。ＭＩＴデバイスは、ＵＷＢ無線機を介して、隣接無線デバイスに位置ビーコンを送信するように構成されてもよい。いくつかの実施形態では、ウェイクアップ信号は、少なくとも１つのプロセッサと通信するＢｌｕｅｔｏｏｔｈ（登録商標）無線機又は超低電力無線機（例えば、ウェイクアップ無線機及び／又はウェイクアップ受信機など）のうちの１つを介して受信されてもよい。いくつかの実施形態では、ウェイクアップ信号は、位置ビーコンについての送信速度及び送信電力を示してもよい。
【０００９】
この発明の概要は、この書類において説明される主題のいくつかの簡易的な概要を提供することを意図している。従って、上記説明された特徴は、実施例に過ぎず、いずれかの方式において本明細書で説明される主題の範囲及び趣旨を狭めると解釈されるべきでないことを理解されよう。本明細書で説明される主題の他の特徴、態様、及び利点は、以下の詳細な説明、図面、及び特許請求の範囲から明らかになるであろう。
実施形態の以下の詳細な説明について以下図面と併せて考察すると、本発明の主題をより良く理解することができる。
【図面の簡単な説明】
【００１０】
【図１】いくつかの実施形態に係る、例示的な無線通信システムを示す。
【図２Ａ】いくつかの実施形態に係る、通信中の例示的な無線デバイスを示す。
【図２Ｂ】いくつかの実施形態に係る、無線デバイスの例示的な簡略化したブロック図を示す。
【図２Ｃ】いくつかの実施形態に係る、例示的なＷＬＡＮ通信システムを示す。
【図３Ａ】いくつかの実施形態に係る、ＷＬＡＮアクセスポイント（ＡＰ）の例示的な簡略化したブロック図を示す。
【図３Ｂ】いくつかの実施形態に係る、無線局（ＵＥ）の例示的な簡略化したブロック図を示す。
【図３Ｃ】いくつかの実施形態に係る、無線ノードの例示的な簡略化したブロック図を示す。
【図４】いくつかの実施形態に係る、位置タグデバイスの例示的な簡略化したブロック図を示す。
【図５】いくつかの実施形態に係る、マルチインタフェーストランスポンダ（ＭＩＴ）デバイスの様々な電力モードの例示的な状態図を示す。
【図６Ａ】いくつかの実施形態に係る、隣接デバイスを介して位置を更新するＭＩＴデバイスの例を示す。
【図６Ｂ】いくつかの実施形態に係る、隣接デバイスを介して位置を更新するＭＩＴデバイスの例を示す。
【図６Ｃ】いくつかの実施形態に係る、隣接デバイスを介して位置を更新するＭＩＴデバイスの例を示す。
【図７】いくつかの実施形態に係る、ＭＩＴデバイスの電力管理のための方法の一例のブロック図を示す。
【図８Ａ】いくつかの実施形態に係る、マルチインタフェーストランスポンダ（ＭＩＴ）デバイスの送信サイクルの例を示す。
【図８Ｂ】いくつかの実施形態に係る、最後の位置更新からの時間の関数としての送信電力調整の例を示す。
【図９】いくつかの実施形態による、検出された状態に基づく、ＭＩＴデバイスの電力管理のための方法の一例のブロック図を示す。
【図１０】いくつかの実施形態による、輸送モードにおける遷移の検出に基づくＭＩＴデバイスの電力管理の方法の一例のブロック図を示す。
【図１１】いくつかの実施形態に係る、ＭＩＴデバイスの動作方法の例のブロック図を示す。
【図１２】いくつかの実施形態に係る、ＭＩＴデバイスの動作方法の例のブロック図を示す。
【図１３】いくつかの実施形態に係る、ＭＩＴデバイスの動作方法の例のブロック図を示す。
【図１４】いくつかの実施形態に係る、ＭＩＴデバイスの動作方法の例のブロック図を示す。
【図１５】いくつかの実施形態に係る、ＭＩＴデバイス用のスキャン方法の一例のブロック図を示す。
【発明を実施するための形態】
【００１１】
本明細書で説明される特徴は、様々な修正及び代替形態を受け入れる余地があるが、その特定の実施形態を例として図面に示し、本明細書で詳細に説明する。しかし、図面及びそれらに対する詳細な説明は、開示されている特定の形態に限定することを意図するものではなく、逆に、その意図は、添付の「特許請求の範囲」によって定義されるような本主題の趣旨及び範囲内に収まる、全ての修正、均等物、及び代替物を包含することである点を理解されたい。
【００１２】
（略称）
様々な略称が本出願を通して使用される。本出願を通じて出現し得る最も顕著に使用される頭字語の定義を以下に示す。
【００１３】
ＵＥ：ユーザ機器
【００１４】
ＡＰ：アクセスポイント（Access Point）
【００１５】
ＴＸ：送信／送信する
【００１６】
ＲＸ：受信／受信する
【００１７】
ＷＵＲｘ：ウェイクアップ受信機
【００１８】
ＵＷＢ：超広帯域
【００１９】
ＢＴ／ＢＬＥ：ＢＬＵＥＴＯＯＴＨ（商標）／ＢＬＵＥＴＯＯＴＨ（商標）Ｌｏｗ  Ｅｎｅｒｇｙ
【００２０】
ＬＰ／ＵＬＰ：低電力／超低電力通信
【００２１】
ＬＡＮ：ローカルエリアネットワーク
【００２２】
ＷＬＡＮ：無線ＬＡＮ
【００２３】
ＲＡＴ：無線アクセス技術
【００２４】
ＴＴＬ：生存時間
【００２５】
ＳＵ：単一ユーザ
【００２６】
ＭＵ：マルチユーザ
【００２７】
（専門用語）
以下は、本開示で使用される用語の用語集である。
【００２８】
記憶媒体−様々な種類の非一時的メモリデバイス又は記憶デバイスのうちの任意のもの。用語「記憶媒体」は、インストール媒体、例えば、ＣＤ−ＲＯＭ、フロッピーディスク又はテープデバイス、ＤＲＡＭ、ＤＤＲ  ＲＡＭ、ＳＲＡＭ、ＥＤＯ  ＲＡＭ、Ｒａｍｂｕｓ  ＲＡＭなどの、コンピュータシステムメモリ又はランダムアクセスメモリ、フラッシュ、磁気媒体、例えばハードドライブ、又は光記憶装置などの、不揮発性メモリ、レジスタ、又はその他の同様の種類のメモリ要素などを含むことが意図されている。記憶媒体は、他の種類の非一時的メモリ、及びそれらの組み合わせも含んでもよい。加えて、記憶媒体は、プログラムが実行される第１のコンピュータシステム内に位置してもよく、又はインターネットなどのネットワークを通じて第１のコンピュータシステムに接続する、第２の異なるコンピュータシステム内に位置してもよい。後者の例では、第２のコンピュータシステムは、実行のために、プログラム命令を第１のコンピュータシステムに提供することができる。用語「記憶媒体」は、異なる位置、例えば、ネットワークを通じて接続された異なるコンピュータシステム内に存在することができる２つ以上の記憶媒体を含んでもよい。記憶媒体は、１つ以上のプロセッサによって実行することができるプログラム命令（例えば、コンピュータプログラムとして具現化された）を記憶してもよい。
【００２９】
搬送媒体−上述のような記憶媒体、及びバス、ネットワークなどの物理的伝送媒体、及び／又は電気信号、電磁信号、若しくはデジタル信号などの信号を伝送する他の物理的伝送媒体。
【００３０】
コンピュータシステム−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス若しくはデバイスの組み合わせ、を含む様々な種類のコンピューティング又は処理システムのうちの任意のもの。一般的に、用語「コンピュータシステム」は、記憶媒体からの命令を実行する少なくとも１つのプロセッサを有する任意のデバイス（又はデバイスの組み合わせ）を包含するように広義に定義することができる。
【００３１】
位置タグ（又は追跡デバイス）−移動式又はポータブルであり、かつ、無線通信、例えば隣接デバイス又はコンパニオンデバイスとの通信、を実行して、位置タグの位置を共有、判定、及び／又は更新する、様々なタイプのコンピュータシステムデバイスのいずれか。無線通信は、Ｂｌｕｅｔｏｏｔｈ（登録商標）、Ｂｌｕｅｔｏｏｔｈ（登録商標）  Ｌｏｗ  Ｅｎｅｒｇｙ（ＢＬＥ）、Ｗｉ−Ｆｉ、超広帯域（ＵＷＢ）、及び／又は１つ以上の独自通信プロトコルを含むがこれらに限定されない、様々なプロトコルを介して行うことができる。
【００３２】
モバイルデバイス（又は、モバイル局）−移動式又はポータブルであり、ＷＬＡＮ通信を用いて無線通信を実行する様々なタイプのコンピュータシステムデバイスのうちの任意のもの。モバイルデバイスの例としては、携帯電話又はスマートフォン（例えば、ｉＰｈｏｎｅ（商標）、Ａｎｄｒｏｉｄ（商標）ベースの電話）、及びｉＰａｄ（商標）、Ｓａｍｓｕｎｇ  Ｇａｌａｘｙ（商標）などのタブレットコンピュータが挙げられる。様々な他のタイプのデバイスが、Ｗｉ−Ｆｉ、又はセルラとＷｉ−Ｆｉの両方の通信機能を含むならばこのカテゴリに入ることになり、例えば、ラップトップコンピュータ（例えば、ＭａｃＢｏｏｋ（商標））、ポータブルゲーミングデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ポータブルインターネットデバイス、及び他のハンドヘルドデバイス、及びスマートウォッチ、スマートグラス、ヘッドホン、ペンダント、イヤピースなどのウェアラブルデバイスが挙げられる。一般に、用語「モバイルデバイス」は、ユーザによって容易に持ち運ばれ、ＷＬＡＮ又はＷｉ−Ｆｉを使用した無線通信が可能な、あらゆる電子デバイス、コンピューティングデバイス及び／又は遠隔通信デバイス（又はデバイスの組み合わせ）を包含するように幅広く定義され得る。
【００３３】
無線デバイス（又は無線局）−ＷＬＡＮ通信を使用して無線通信を実行する様々な種類のコンピュータシステムデバイスのうちの任意のもの。本明細書で使用する時、用語「無線デバイス」は、上で定義されたようなモバイルデバイス、若しくは据置型無線クライアント又は無線基地局などの据置型デバイスを指してもよい。例えば、無線デバイスは、アクセスポイント（ＡＰ）又はクライアント局（ＳＴＡ又はＵＥ）などの、８０２．１１システムの任意のタイプの無線局であってもよい。更なる例としては、テレビ、メディアプレーヤ（例えば、ＡｐｐｌｅＴＶ（商標）、Ｒｏｋｕ（商標）、Ａｍａｚｏｎ  ＦｉｒｅＴＶ（商標）、Ｇｏｏｇｌｅ  Ｃｈｒｏｍｅｃａｓｔ（商標）など）、冷蔵庫、洗濯機、サーモスタットなどが挙げられる。
【００３４】
ＷＬＡＮ−用語「ＷＬＡＮ」は、その通常の意味の全範囲を有するものであり、ＷＬＡＮアクセスポイントによってサービスが提供され、これらのアクセスポイントを通じてインターネットへの接続性を提供する、無線通信ネットワーク又はＲＡＴを少なくとも含む。最新のＷＬＡＮは、ＩＥＥＥ８０２．１１標準に基づくものであり、「Ｗｉ−Ｆｉ」という名称で市販されている。ＷＬＡＮネットワークは、セルラネットワークとは異なるものである。
【００３５】
処理要素−コンピュータシステム内で機能を実行するデジタル回路の様々な実現形態を指す。加えて、処理要素は、コンピュータ又はコンピュータシステム内で機能（単数又は複数）を実行するアナログ又はミックスドシグナル（アナログとデジタルの組み合わせ）回路の様々な実現形態を指してもよい。処理要素は、例えば、集積回路（ＩＣ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ、特定用途向け集積回路）などの回路、個別のプロセッサコアの一部分若しくは回路、プロセッサコア全体、個別プロセッサ、フィールドプログラマブルゲートアレイ（field programmable gate array、ＦＰＧＡ）などのプログラマブルハードウェアデバイス、及び／又は複数のプロセッサを含むシステムのより大きい部分を含む。
【００３６】
自動的に−ユーザ入力が、アクション又は動作を直接指定若しくは実行することなく、コンピュータシステム（例えば、コンピュータシステムによって実行されるソフトウェア）又はデバイス（例えば、回路機構、プログラム可能なハードウェア要素、ＡＳＩＣなど）によって、それらのアクション又は動作が実行されることを指す。それゆえ、用語「自動的に」は、ユーザが入力を提供して動作を直接実行する、動作がユーザによって手動で実行又は指定されることとは対照的である。自動手順は、ユーザが提供する入力によって開始されてもよいが、「自動的に」実行される後続のアクションはユーザによって指定されるものではなく、例えば、実行するべき各アクションをユーザが指定する「手動で」は実行されない。例えば、ユーザが、各フィールドを選択し、情報を明示する入力を提供することによって（例えば、情報のタイピング、チェックボックスの選択、ラジオボタンの選択などによって）、電子フォームに記入することは、コンピュータシステムが、ユーザアクションに応じて、フォームを更新しなければならない場合であっても、手動でフォームに記入することである。フォームは、コンピュータシステムによって自動的に記入されてもよく、この場合、コンピュータシステム（例えば、コンピュータシステム上で実行されるソフトウェア）は、そのフィールドに対する回答を指定する何らのユーザ入力なしに、そのフォームのフィールドを分析して、フォームに記入する。上述のように、ユーザは、フォームの自動記入を呼び出すことができるが、フォームの実際の記入には関与しない（例えば、ユーザがフィールドに対する回答を手動で指定することはなく、むしろ、それらは自動的に完了される）。本明細書は、ユーザが取った動作に応じて自動的に実行される様々な動作の例を提供する。
【００３７】
同時−タスク、プロセス、シグナリング、メッセージング、又はプログラムが少なくとも部分的に重なり合うように実行される、並列の実行又は実施を指す。例えば、同時並行性は、各計算要素上でタスクが並列に（少なくとも部分的に）実行される「強」若しくは厳密並列処理を使用して、又は、例えば、実行スレッドの時分割多重化によって、インターリーブ方式でタスクが実行される「弱並列処理」を使用して、実施することができる。
【００３８】
ように構成されている−様々な構成要素が、タスクを実行する「ように構成されている」と説明され得る。そのようなコンテキストにおいて「ように構成されている」は、動作中のタスクを実行する「構造を有する」ことを一般的に意味する広範な説明である。このように、構成要素は、タスクを現在実行していない場合であっても、そのタスクを実行するように構成することができる（例えば、電気導体のセットは、２つのモジュールが接続されていなくても、モジュールを別のモジュールへ電気的に接続するように構成されていてもよい）。いくつかのコンテキストにおいて、「ように構成されている」は、動作中のタスクを実行する「回路を有する」ことを一般的に意味する広範な説明であってもよい。このように、構成要素は、現在オンでなくても、そのタスクを実行するように構成することができる。一般に、「構成されている」に対応する構造を形成する回路は、ハードウェア回路を含んでもよい。
【００３９】
本明細書の記載では、便宜上、タスクを実行するとして様々な構成要素を説明することができる。そのような説明は、語句「ように構成されている」を含むように解釈されるべきである。１つ以上のタスクを実行するように構成された構成要素を記述することは、その構成要素に関する解釈に、米国特許法第１１２条（ｆ）が行使されないことを、明示的に意図するものである。
【００４０】
おおよそ−ほとんど正確又は正確である値を指す。例えば、「おおよそ」は、正確な（又は所望の）値の１〜１０パーセント以内の値を指すことができる。但し、実際の閾値（又は許容差）は、用途に依存し得ることに留意すべきである。例えば、一実施形態では、「おおよそ」は、ある特定の又は所望の値の０．１％以内を意味する場合があり、他の様々な実施形態では、閾値は、所望により、又は特定の用途によって必要に応じて、例えば、２％、３％、５％、等である場合がある。
【００４１】
（図１−無線通信システム）
図１は、いくつかの実施形態に係る、例示的な無線通信システムを示す図である。図１のシステムは、あり得るシステムの単なる一例に過ぎず、この開示の実施形態は、所望に応じて様々なシステムの任意のものにおいて実施されてよいことに留意されたい。図示するように、例示的なシステム１００は、システム１００内の様々な構成要素、例えば、アクセスポイント（ＡＰ）１１２、他のクライアント局１０６、無線ノード１０７、及び／又は位置タグデバイス１０８、と無線通信するように構成されている複数の無線クライアント局若しくはデバイス、又はユーザ機器（ＵＥ）、１０６を含む。いくつかの実現形態では、ＡＰ１１２に加えて、又はＡＰ１１２の代わりに、１つ以上の基地局を含んでもよい。ＡＰ１１２は、Ｗｉ−Ｆｉアクセスポイントであってもよく、システム１００の様々な構成要素と無線通信するための１つ以上の他の無線／アクセス技術（例えば、Ｂｌｕｅｔｏｏｔｈ（登録商標）（ＢＴ）、超広帯域（ＵＷＢ）など）を含んでもよい。ＡＰ１１２は、有線及び／又は無線通信チャネルを介して、１つ以上の他の電子デバイス（図示せず）及び／又は別のネットワーク、例えばインターネット、と通信してもよい。ＡＰ１１２は、様々なＩＥＥＥ８０２．１１規格、及び、例えば、広帯域、超広帯域、及び／又は追加の短距離／低電力無線通信技術に基づく１つ以上の独自通信規格などの、様々な通信規格のいずれかに従って動作するように構成されてもよい。いくつかの実施形態では、少なくとも１つのクライアント局１０６は、アクセスポイント１１２（例えば、ピアツーピア（Ｐ２Ｐ）又はデバイス間（Ｄ２Ｄ））を使用することなく、１つ以上の隣接デバイス（例えば、他のクライアント局１０６、無線ノード１０７、及び／又は位置タグデバイス１０８）と直接通信するように構成されてもよい。図示するように、無線ノード１０７は、ウェアラブルデバイス、ゲーミングデバイスなどの、様々なデバイスのうちのいずれかとして実現されていてもよい。いくつかの実施形態では、無線ノード１０７は、スマート家電（例えば、冷蔵庫、ストーブ、オーブン、皿洗い機、洗濯機、衣類乾燥機など）、スマートサーモスタット、及び／又は他のホームオートメーションデバイス（例えば、スマート電気コンセント、スマート照明器具など）などの、様々なモノのインターネット（ＩｏＴ）デバイスであってもよい。
【００４２】
図示するように、位置タグデバイス１０８は、システム１００内の１つ以上の他の構成要素と通信してもよい。いくつかの実施形態では、位置タグデバイス１０８は、コンパニオンデバイス（例えば、クライアント局１０６）と関連付けられてもよく、加えて、１つ以上の追加のデバイス（例えば、他のクライアント局１０６、無線ノード１０７、ＡＰ１１２）と通信できてもよい。いくつかの実施形態では、コンパニオンデバイスとの通信は、ＢＬＵＥＴＯＯＴＨ（商標）（及び／又はＢＬＵＥＴＯＯＴＨ（商標）（ＢＴ）Ｌｏｗ  Ｅｎｅｒｇｙ（ＢＬＥ））、Ｗｉ−Ｆｉピアツーピア（例えば、Ｗｉ−Ｆｉ  Ｄｉｒｅｃｔ、Ｎｅｉｇｈｂｏｒ  Ａｗａｒｅｎｅｓｓ  Ｎｅｔｗｏｒｋｉｎｇ（ＮＡＮ）など）、ミリ波（ｍｍＷａｖｅ）（例えば、６０ＧＨｚ、例えば８０２．１１  ａｄ／ａｙ）、並びに、様々な独自プロトコル（例えば、広帯域又は超広帯域（ＵＷＢ）、及び／又は低電力及び／又は超低電力（ＬＰ／ＵＬＰ）無線通信を介して）のうちのいずれか、などの１つ以上のアクセス技術／プロトコルを介してもよい。いくつかの実施形態では、追加のデバイスとの通信は、ＢＴ／ＢＬＥ、及び１つ以上の他の短距離ピアツーピア無線通信技術（例えば、様々な近距離通信（ＮＦＣ）技術、ＲＦＩＤ、ＮＡＮ、Ｗｉ−Ｆｉ  Ｄｉｒｅｃｔ、ＵＷＢ、ＬＴ／ＵＬＰなど）を介してもよい。いくつかの実施形態では、位置タグデバイス１０８は、１つ以上の追加のデバイスを介して、及びコンパニオンデバイスを介して、（例えば、タグデバイス１０８によって決定された、及び／又は別のデバイスからタグデバイス１０８に提供された）現在位置でサーバを更新することができてもよい。
【００４３】
（図２Ａ〜図２Ｂ−無線通信システム）
図２Ａは、本開示の態様が実現され得る例示的な（かつ簡略化した）無線通信システムを示す。図２Ａのシステムはあり得るシステムの単なる一例に過ぎず、この開示の実施形態は所望に応じて様々なシステムの任意のものにおいて実現されてよいことに留意されたい。
【００４４】
図示するように、例示的な無線通信システムは、別の（「第２の」）無線デバイス１０８と通信する（「第１の」）無線デバイス１０５を含む。第１の無線デバイス１０５及び第２の無線デバイス１０８は、様々な無線通信技術のいずれかを使用して無線通信してもよい。
【００４５】
１つの可能性として、第１の無線デバイス１０５及び第２の無線デバイス１０８は、無線ローカルエリアネットワーク（ＷＬＡＮ）通信技術（例えば、ＩＥＥＥ  ８０２．１１／Ｗｉ−Ｆｉベースの通信）、及び／又はＷＬＡＮ無線通信に基づく技術を使用して通信を実行してもよい。無線デバイス１０５及び無線デバイス１０８の一方又は両方はまた（又は代替として）、Ｂｌｕｅｔｏｏｔｈ（商標）（ＢＴ）、Ｂｌｕｅｔｏｏｔｈ（商標）Ｌｏｗ  Ｅｎｅｒｇｙ（ＢＬＥ）、近距離通信（ＮＦＣ）、ＲＦＩＤ、ＵＷＢ、ＬＰ／ＵＬＰ、ＧＳＭ（登録商標）、ＵＭＴＳ（ＷＣＤＭＡ（登録商標），ＴＤＳＣＤＭＡ）、ＬＴＥ、ＬＴＥ−Ａｄｖａｎｃｅｄ（ＬＴＥ−Ａ）、ＮＲ、３ＧＰＰ２  ＣＤＭＡ２０００（例えば、１ｘＲＴＴ、１ｘＥＶ−ＤＯ、ＨＲＰＤ、ｅＨＲＰＤ）、Ｗｉ−ＭＡＸ、ＧＰＳ、などのうちのいずれかなどの、１つ以上の追加の無線通信プロトコルを介して通信可能であり得る。
【００４６】
無線デバイス１０５及び１０８は、様々なタイプの無線デバイスのうちのいずれかであってもよい。１つの可能性として、無線デバイス１０５は、スマートフォン、ハンドヘルドデバイス、ラップトップコンピュータ、ウェアラブルデバイス（スマートウォッチなど）、タブレット、車両、又は事実上任意のタイプの無線デバイスなどの、実質的にポータブルな無線ユーザ機器（ＵＥ）デバイスであってもよい。別の可能性として、無線デバイス１０５は、決済キオスク／決済デバイス、販売時点情報管理（ＰＯＳ）端末、セットトップボックス、メディアプレーヤ（例えば、オーディオ又は視聴覚デバイス）、ゲームコンソール、デスクトップコンピュータ、アプライアンス、ドア、アクセスポイント、基地局、又は様々な他のタイプのデバイスのうちのいずれかなどの、実質的に据置型デバイスであってもよい。無線デバイス１０８は、別のコンピューティングデバイスに関連付けられ、取り付けられ、及び／又は別の方法で一体化された、及び／又は、個人用物品若しくはデバイス（例えば、財布、バックパック、荷物、ブリーフケース、パース、キーリング／チェーン、個人識別票など）に関連付けられ、取り付けられ、及び／又は一体化された、例えばスタンドアロンのフォームファクタの位置タグデバイス；及び／又は、商業用物品（例えば、搬送容器、搬送／保管パレット、在庫品、車両など）、であってもよい。
【００４７】
無線デバイス１０５及び１０８の各々は、無線通信の実行を容易にするように構成されている無線通信回路を含むことができ、無線通信回路は、様々なデジタル及び／又はアナログ無線周波数（ＲＦ）構成要素と、メモリ内に記憶されたプログラム命令を実行するように構成されている１つ以上のプロセッサと、フィールドプログラマブルゲートアレイ（ＦＰＧＡ）、プログラマブルロジックデバイス（ＰＬＤ）、特定用途向けＩＣ（ＡＳＩＣ）、及び／又は様々な他の構成要素のうちのいずれかなどの、１つ以上のプログラム可能なハードウェア要素と、を含んでもよい。無線デバイス１０５及び／又は無線デバイス１０８は、そのような構成要素の一部又は全てを使用して、本明細書に記載される方法の実施形態又は動作のいずれか、又は本明細書に記載される方法の実施形態又は動作のいずれかの任意の部分を実行してもよい。
【００４８】
無線デバイス１０５及び１０８の各々は、１つ以上の無線通信プロトコルを使用して通信するための１つ以上のアンテナ、及び対応する無線周波数フロントエンド回路を含んでもよい。場合によっては、受信及び／又は送信チェーンの１つ以上の部分が、複数の無線通信規格間で共有されてもよい。例えば、デバイスは、部分的又は全体的に共有される無線通信回路を使用する（例えば、共有無線機又は１つ以上の共有無線機構成要素を使用して）ＢＴ／ＢＬＥ又はＷｉ−Ｆｉを使用して通信するように構成されてもよい。共用される通信回路は、無線通信を実行するために、単一のアンテナを含んでもよいし、又は（例えばＭＩＭＯ用の）複数のアンテナを含んでもよい。あるいは、デバイスは、デバイスと通信するように構成された無線通信プロトコル毎に、（例えば、別個のアンテナ及び他の無線機構成要素を含む）別個の送信チェーン及び／又は受信チェーンを含んでもよい。更なる可能性として、デバイスは、複数の無線通信プロトコル間で共有される１つ以上の無線機又は無線機構成要素と、単一の無線通信プロトコルによって排他的に使用される１つ以上の無線機又は無線機構成要素とを含んでもよい。例えば、デバイスは、ＬＴＥ、ＣＤＭＡ２０００  １ｘＲＴＴ、ＧＳＭ（登録商標）、及び／又は５Ｇ  ＮＲのうちの１つ以上を使用して通信するための共有無線機、及びＷｉ−Ｆｉ及び／又はＢＴ／ＢＬＥを使用して通信するための１つ以上の別個の無線機を含んでもよい。他の構成も可能である。
【００４９】
前述のように、本開示の態様は、図２Ａの無線通信システムと共に実現されてもよい。例えば、無線デバイス（例えば、無線デバイス１０５又は１０８のいずれか）は、本明細書に記載の方法を実現する（及び／又は実現を支援する）ように構成されてもよい。
【００５０】
図２Ｂは、本開示の様々な態様と共に使用するために構成され得る、例示的な無線デバイス１１０（例えば、無線デバイス１０５及び／又は１０８に対応する）を示す。デバイス１１０は、様々なタイプのデバイスのいずれかであってもよく、様々なタイプの機能性のいずれかを実行するように構成されてもよい。デバイス１１０は、実質的にポータブルなデバイスであってもよく、又は、様々なタイプのデバイスのいずれかを含む可能性がある、実質的に据置型デバイスであってもよい。デバイス１１０は、本明細書に図示及び／又は記載された任意の技術又は特徴を、図のいずれか又は全てに関するものを含めて、実行するように構成されてもよい。
【００５１】
図示するように、デバイス１１０は、処理要素１２１を含んでもよい。処理要素は、１つ以上のメモリ素子を含んでもよく、又はそれに結合されてもよい。例えば、デバイス１１０は、１つ以上のメモリ媒体（例えば、メモリ１１１）を含んでもよく、記憶媒体は、様々なタイプのメモリのうちのいずれかを含んでもよく、様々な機能のうちのいずれかを果たしてもよい。例えば、メモリ１１１は、処理要素１２１用のシステムメモリとして機能するＲＡＭであり得る。加えて又は代替として、メモリ１１１は、デバイス１１０用の構成メモリとして機能するＲＯＭとすることができる。メモリの他のタイプ及び機能もまた可能である。
【００５２】
加えて、デバイス１１０は、無線通信回路１３１を含んでもよい。無線通信回路は、様々な通信要素（例えば、無線通信用アンテナ、アナログ及び／又はデジタル通信回路／コントローラなど）のうちのいずれかを含むことができ、１つ以上の無線通信プロトコルを使用してデバイスが無線通信することを可能にし得る。
【００５３】
場合によっては、無線通信回路１３１は、例えば、処理要素１２１に加えて、自身の処理要素（単数又は複数）（例えば、ベースバンドプロセッサ）を含み得ることに留意されたい。例えば、処理要素１２１は、その主機能がデバイス１１０内のアプリケーション層動作をサポートし得る「アプリケーションプロセッサ」であってもよく、一方、無線通信回路１３１は、その主機能が（例えば、デバイス１１０と他のデバイスとの間の無線通信を容易にするために）デバイス１１０内のベースバンド層動作をサポートし得る「ベースバンドプロセッサ」であってもよい。換言すれば、場合によっては、デバイス１１０は、複数の処理要素を含んでもよい（例えば、マルチプロセッサデバイスであってもよい）。マルチプロセッサアーキテクチャを利用する他の構成もまた（例えば、アプリケーションプロセッサ／ベースバンドプロセッサ構成の代わりに又はそれに加えて）可能である。
【００５４】
デバイス１１０は、デバイス１１０の意図される機能に応じて、デバイス機能を実現するための様々な他の構成要素（図示せず）のうちのいずれかを追加で含んでもよく、他の構成要素は、更なる処理素子及び／又はメモリ素子（例えば、オーディオ処理回路）、１つ以上の電源要素（電池電力及び／又は外部電源に依存し得る）、ユーザインタフェース要素（例えば、ディスプレイ、スピーカ、マイクロフォン、カメラ、キーボード、マウス、タッチスクリーンなど）、及び／又は様々な他の構成要素のうちのいずれかを含んでもよい。
【００５５】
処理要素１２１、メモリ１１１、及び無線通信回路１３１などの、デバイス１１０の構成要素は、１つ以上の相互接続インタフェースを介して動作可能に（又は通信可能に）結合されてもよく、相互接続インタフェースは、様々なタイプのインタフェースのうちのいずれかを含むことができ、場合によっては、複数のタイプのインタフェースの組み合わせを含むことができる。一実施例として、ＵＳＢ高速チップ間（ＨＳＩＣ）インタフェースを、処理要素間のチップ間通信のために備えることができる。代替的に（又は追加的に）、ユニバーサル非同期受信機送信機（ＵＡＲＴ）インタフェース、シリアル周辺インタフェース（ＳＰＩ）、集積回路間（Ｉ２Ｃ）、システム管理バス（ＳＭＢｕｓ）、及び／又は様々な他の通信インタフェースのいずれかを、様々なデバイス構成要素間の通信に使用することができる。他のタイプのインタフェース（例えば、処理要素１２１内の通信用チップ内インタフェース、デバイス１１０の内部又は外部の周辺構成要素との通信用周辺インタフェースなど）もまた、デバイス１１０の一部として備えることができる。
【００５６】
（図２Ｃ−ＷＬＡＮシステム）
図２Ｃは、いくつかの実施形態に係る、例示的なＷＬＡＮシステムを示す。図示するように、例示的なＷＬＡＮシステムは、無線通信チャネル１４２を介してアクセスポイント（ＡＰ）１１２と通信するように構成されている、複数の無線クライアント局若しくはデバイス、又はユーザ機器（ＵＥ）１０６を含む。いくつかの実施形態では、ＡＰ１１２は、Ｗｉ−Ｆｉアクセスポイントであってもよい。ＡＰ１１２は、有線及び／又は無線通信チャネル（単数及び複数）１５０を介して、１つ以上の他の電子デバイス（図示せず）及び／又は別のネットワーク１５２、例えばインターネット、と通信してもよい。リモートデバイス１５４などの追加の電子デバイスは、ネットワーク１５２を介してＷＬＡＮシステムの構成要素と通信してもよい。例えば、リモートデバイス１５４は、別の無線クライアント局であってもよい。ＷＬＡＮシステムは、様々なＩＥＥＥ  ８０２．１１規格などの様々な通信規格のいずれかに従って動作するように構成されてもよい。いくつかの実施形態では、少なくとも１つの無線デバイス１０６は、アクセスポイント１１２を使用せずに、位置タグデバイス１０８などの１つ以上の隣接モバイルデバイスと直接通信するように構成されている。
【００５７】
更に、いくつかの実施形態では、以下で更に説明するように、無線デバイス１０６（デバイス１１０の例示的実現形態であってもよい）は、本明細書に記載される方法を実行する（及び／又はその実行を支援する）ように構成されてもよい。
【００５８】
（図３Ａ−アクセスポイントブロック図）
図３Ａは、図２Ｂに示すデバイス１１０の１つの可能な例示的実現形態であり得る、アクセスポイント（ＡＰ）１１２の例示的なブロック図を示す。図３ＡのＡＰのブロック図は、考えられるシステムの単なる一例に過ぎないことに留意されたい。図示するように、ＡＰ１１２は、ＡＰ１１２に対してプログラム命令を実行してもよいプロセッサ（単数又は複数）２０４を含んでもよい。プロセッサ（単数又は複数）２０４はまた、プロセッサ（単数又は複数）２０４からアドレスを受信し、それらのアドレスをメモリ（例えば、メモリ２６０及び読み出し専用メモリ（ＲＯＭ）２５０）又は他の回路若しくはデバイス内の場所に変換するように構成されてもよいメモリ管理ユニット（ＭＭＵ）２４０に（直接的又は間接的に）結合されてもよい。
【００５９】
ＡＰ１１２は、少なくとも１つのネットワークポート２７０を含んでもよい。ネットワークポート２７０は、有線ネットワークに結合し、モバイルデバイス１０６などの複数のデバイスにインターネットへのアクセスを提供するように構成されていてもよい。例えば、ネットワークポート２７０（又は追加のネットワークポート）は、ホームネットワーク又は企業ネットワークなどのローカルネットワークに結合するように構成されていてもよい。例えば、ポート２７０はイーサネットポートであってもよい。ローカルネットワークは、インターネットなどの１つ以上の追加のネットワークへの接続性を提供してもよい。
【００６０】
ＡＰ１１２は、少なくとも１つのアンテナ２３４と無線通信回路２３０とを含んでもよく、無線トランシーバとして動作するように構成されていてもよく、モバイルデバイス１０６（及び位置タグデバイス１０８）と通信するように更に構成されていてもよい。アンテナ２３４は、通信チェーン２３２を介して無線通信回路２３０と通信する。通信チェーン２３２は、１つ以上の受信チェーン及び／又は１つ以上の送信チェーンを含んでもよい。無線通信回路２３０は、Ｗｉ−Ｆｉ又はＷＬＡＮ、例えば８０２．１１を介して通信するように構成されていてもよい。無線通信回路２３０はまた、又は代替として、ＢＴ／ＢＬＥ、ＵＷＢ、及び／又はＬＰ／ＵＬＰを含むがこれらに限定されない、様々な他の無線通信技術を介して通信するように構成されてもよい。更に、いくつかの実施形態では、無線通信回路２３０はまた、又は代替として、例えば、スモールセルの場合にＡＰが基地局と共同設置される時、又はＡＰ１１２が様々な異なる無線通信技術を介して通信することが望まれ得る他の例において、ロングタームエボリューション（ＬＴＥ）、ＬＴＥ  Ａｄｖａｎｃｅｄ（ＬＴＥ−Ａ）、モバイル用グローバルシステム（ＧＳＭ（登録商標））、広帯域符号分割多元接続（ＷＣＤＭＡ（登録商標））、ＣＤＭＡ２０００などを含むがこれらに限定されない様々な他の無線通信技術を介して通信するように構成されていてもよい。
【００６１】
更に、いくつかの実施形態では、以下で更に説明するように、ＡＰ１１２は、本明細書に記載される方法を実行する（及び／又はその実行を支援する）ように構成されてもよい。
【００６２】
（図３Ｂ−クライアント局ブロック図）
図３Ｂは、図２Ｂに示すデバイス１１０の１つの可能な例示的実現形態であり得る、クライアント局１０６の例示的な簡略化したブロック図を示す。実施形態によると、クライアント局１０６は、ユーザ機器（ＵＥ）デバイス、モバイルデバイス若しくは移動局、及び／又は無線デバイス若しくは無線局であってもよい。図示するように、クライアント局１０６は、様々な目的用の部分を含んでもよい、システムオンチップ（ＳＯＣ）３００を含んでもよい。ＳＯＣ３００はクライアント局１０６の様々な他の回路に結合されてもよい。例えば、クライアント局１０６は、様々なタイプのメモリ（例えば、ＮＡＮＤフラッシュ３１０を含む）、コネクタインタフェース（Ｉ／Ｆ）（又はドック）３２０（例えば、コンピュータシステム、ドック、充電ステーションなどに結合するための）、ディスプレイ３６０、例えばＬＴＥ、ＧＳＭ（登録商標）用のセルラ通信回路３３０、近中距離無線通信回路３２９（例えば、Ｂｌｕｅｔｏｏｔｈ（商標）及びＷＬＡＮ回路）、低電力／超低電力（ＬＰ／ＵＬＰ）無線機３３９、及び超広帯域無線機３４１、を含んでもよい。クライアント局１０６は、１つ以上のＵＩＣＣ（ユニバーサル集積回路カード（単数又は複数））３４５などの、ＳＩＭ（加入者識別モジュール）機能を組み込んだ１つ以上のスマートカード３１０を更に含んでもよい。セルラ通信回路３３０は、図示のように、アンテナ３３５及び３３６などの１つ以上のアンテナに結合してもよい。近中距離無線通信回路３２９はまた、図示のように、アンテナ３３７及び３３８などの１つ以上のアンテナに結合してもよい。ＬＰ／ＵＬＰ無線機３３９は、図示されるように、例えばアンテナ３４７及び３４８などの１つ以上のアンテナに結合してもよい。加えて、ＵＷＢ無線機３４１は、アンテナ３４５及び３４６などの１つ以上のアンテナに結合してもよい。代替として、無線機は、対応するアンテナ又は対応するアンテナセットに結合することに加えて、又はその代わりに、１つ以上のアンテナを共有してもよい。無線のいずれか又は全てには、多重入出力（multiple-input multiple output）（ＭＩＭＯ）構成などの複数の空間ストリームを受信及び／又は送信するための、複数の受信チェーン及び／又は複数の送信チェーンが含まれていてもよい。
【００６３】
図示するように、ＳＯＣ３００は、クライアント局１０６に対するプログラム命令を実行できるプロセッサ（単数又は複数）３０２と、グラフィック処理を実行し、ディスプレイ３６０に表示信号を提供できる表示回路３０４とを含んでもよい。ＳＯＣ３００はまた、例えば、ジャイロスコープ、加速度計、及び／又は様々な他の動き感知構成要素のうちのいずれかを使用して、クライアント局１０６の動きを検出できる動き感知回路３７０も含んでもよい。プロセッサ（単数又は複数）３０２は、メモリ管理ユニット（ＭＭＵ）３４０に結合してもよく、ＭＭＵ３４０は、プロセッサ（単数又は複数）３０２からアドレスを受信し、それらのアドレスを、メモリ（例えば、メモリ３０６、読み出し専用メモリ（ＲＯＭ）３５０、ＮＡＮＤフラッシュメモリ３１０）内の位置に変換し、及び／又は表示回路３０４、セルラ通信回路３３０、短距離無線通信回路３２９、ＬＰ／ＵＬＰ通信回路３３９、ＵＷＢ通信回路３４１、コネクタインタフェース（Ｉ／Ｆ）３２０、及び／又はディスプレイ３６０などの、その他の回路又はデバイスに変換するように構成されてもよい。ＭＭＵ３４０は、メモリ保護及びページテーブル変換又はセットアップを実行するように構成されてもよい。いくつかの実施形態では、ＭＭＵ３４０は、プロセッサ（単数又は複数）３０２の一部として含まれてもよい。
【００６４】
上述したように、クライアント局１０６は、１つ以上の隣接クライアント局、及び／又は１つ以上の位置タグデバイス１０８と無線で直接通信するように構成されてもよい。クライアント局１０６は、図２Ｃに示すようなＷＬＡＮネットワーク内の通信のためにＷＬＡＮ  ＲＡＴに従って通信するように構成されてもよい。更に、いくつかの実施形態では、以下で更に説明するように、クライアント局１０６は、本明細書に記載される方法を実行する（及び／又はその実行を支援する）ように構成されてもよい。
【００６５】
本明細書で説明するように、クライアント局１０６は、本明細書で説明する機能を実現するためのハードウェア構成要素及び／又はソフトウェア構成要素を含んでもよい。例えば、クライアント局１０６のプロセッサ３０２は、例えば、記憶媒体（例えば、非一時的コンピュータ可読記憶媒体）に記憶されたプログラム命令を実行することによって、本明細書に記載される機能の一部又は全てを実現するように構成してもよい。代替として（又は、加えて）、プロセッサ３０２は、ＦＰＧＡ（フィールドプログラマブルゲートアレイ）などのプログラム可能なハードウェア要素として、又はＡＳＩＣ（特定用途向け集積回路）として構成されてもよい。代替として（又は、加えて）、ＵＥ１０６のプロセッサ３０２は、他の構成要素３００、３０４、３０６、３１０、３２０、３２９、３３０、３３５、３３６、３３７、３３８、３３９、３４０、３４１、３４５、３４６、３４７、３４８、３５０、及び／又は３６０のうちの１つ以上と連携して、本明細書で説明する機能の一部又は全てを実現するように構成されてもよい。
【００６６】
加えて、本明細書で説明するように、プロセッサ３０２は、１つ以上の処理要素を含むことができる。従って、プロセッサ３０２は、プロセッサ３０２の機能を実行するように構成された１つ以上の集積回路（ＩＣ）を含むことができる。加えて、各集積回路は、プロセッサ（単数又は複数）２０４の機能を実行するように構成されている回路（例えば、第１の回路、第２の回路等）を含んでいてもよい。
【００６７】
更に、本明細書で説明するように、セルラ通信回路３３０及び短距離無線通信回路３２９は、それぞれ１つ以上の処理要素を含むことができる。したがって、セルラ通信回路３３０及び短距離無線通信回路３２９の各々は、セルラ通信回路３３０及び短距離無線通信回路３２９の機能をそれぞれ実行するように構成されている１つ以上の集積回路（ＩＣ）を含んでもよい。
【００６８】
（図３Ｃ−無線ノードブロック図）
図３Ｃは、図２Ｂに示すデバイス１１０の１つの可能な例示的実現形態であり得る、無線ノード１０７の１つの可能なブロック図を示す。図示するように、無線ノード１０７は、様々な目的のための諸部分を含み得る、システムオンチップ（ＳＯＣ）３０１を含んでもよい。例えば、図示するように、ＳＯＣ３０１は、無線ノード１０７に対するプログラム命令を実行し得るプロセッサ（単数又は複数）３０３と、グラフィック処理を実行し、ディスプレイ３６１に表示信号を提供し得る表示回路３０５とを含んでもよい。ＳＯＣ３０１はまた、例えば、ジャイロスコープ、加速度計、及び／又は様々な他の動き感知構成要素のうちのいずれかを使用して、無線ノード１０７の動きを検出できる動き感知回路３７１を含んでもよい。プロセッサ（単数又は複数）３０３はまた、プロセッサ（単数又は複数）３０３からアドレスを受信し、それらのアドレスをメモリ（例えば、メモリ３０７、読み出し専用メモリ（read only memory、ＲＯＭ）３５１、フラッシュメモリ３１１）内の位置に変換するように構成され得る、メモリ管理ユニット（memory management unit、ＭＭＵ）３４１に結合されてもよい。ＭＭＵ３４１は、メモリ保護及びページテーブル変換又はセットアップを実行するように構成されてもよい。いくつかの実施形態では、ＭＭＵ３４１は、プロセッサ（単数又は複数）３０３の一部として含まれてもよい。
【００６９】
図示するように、ＳＯＣ３０１は、無線ノード１０７の様々な他の回路に結合してもよい。例えば、無線ノード１０７は、（例えば、ＮＡＮＤフラッシュ３１１を含む）様々なタイプのメモリ、（例えば、コンピュータシステム、ドック、充電ステーションなどに結合するための）コネクタインタフェース３２１、ディスプレイ３６１、及び（例えば、ＬＴＥ、ＬＴＥ−Ａ、ＣＤＭＡ２０００、Ｂｌｕｅｔｏｏｔｈ（登録商標）、Ｗｉ−Ｆｉ、ＮＦＣ、ＧＰＳ、ＵＷＢ、ＬＰ／ＵＬＰ用などの）無線通信回路（無線）３８１を含んでもよい。
【００７０】
無線ノード１０７は、基地局及び／又は他のデバイスとの無線通信を実行するために、少なくとも１つのアンテナ、並びに一部の実施形態では複数のアンテナ３８７及び３８８を含んでもよい。例えば、無線ノード１０７は、アンテナ３８７及び３８８を使用して、無線通信を実行してもよい。上述したように、無線ノード１０７は、いくつかの実施形態では、複数の無線通信規格又は無線アクセス技術（ＲＡＴ）を使用して無線で通信するように構成されてもよい。
【００７１】
無線通信回路（無線機）３８１は、Ｗｉ−Ｆｉロジック３８２、セルラモデム３８３、ＢＴ／ＢＬＥロジック３８４、ＵＷＢロジック３８５、及びＬＰ／ＵＬＰロジック３８６を含んでもよい。Ｗｉ−Ｆｉロジック３８２は、無線ノード１０７がＷｉ−Ｆｉ通信を、例えば、８０２．１１ネットワーク上で、及び／又はピアツーピア通信（例えば、ＮＡＮ）を介して、実行することを可能にするためのものである。ＢＴ／ＢＬＥロジック３８４は、無線ノード１０７がＢｌｕｅｔｏｏｔｈ（登録商標）通信を実行できるようにするためのものである。セルラモデム３８３は、１つ以上のセルラ通信技術に従って、セルラ通信を実行することを可能とし得る。ＵＷＢロジック３８５は、無線ノード１０７がＵＷＢ通信を実行できるようにするためのものである。ＬＰ／ＵＬＰロジック３８６は、無線ノード１０７がＬＰ／ＵＬＰ通信を実行できるようにするためのものである。無線通信回路３８１の一部又は全ての構成要素は、位置タグデバイス１０８との通信に使用されてもよい。
【００７２】
本明細書で説明されるように、無線ノード１０７は、本開示の実施形態を実現するためのハードウェア及びソフトウェア構成要素を含んでもよい。例えば、無線ノード１０７の無線通信回路３８１のうちの１つ以上の構成要素は、例えば、記憶媒体（例えば、非一時的コンピュータ可読記憶媒体）に記憶されたプログラム命令を実行するプロセッサ、ＦＰＧＡ（フィールドプログラマブルゲートアレイ）として構成されているプロセッサによって、及び／又はＡＳＩＣ（特定用途向け集積回路）を含み得る専用ハードウェア構成要素を使用して、本明細書で説明される方法の一部又は全てを実現するように構成されていてもよい。例えば、いくつかの実施形態では、以下で更に説明するように、無線ノード１０７は、本明細書に記載される方法を実行する（及び／又はその実行を支援する）ように構成されてもよい。
【００７３】
（図４：位置タグデバイス）
図４は、図２Ｂに示すデバイス１１０の１つの可能な例示的実現形態であり得る、位置タグデバイス１０８の例示的な簡略化したブロック図を示す。実施形態によると、位置タグデバイス１０８はシステムオンチップ（ＳＯＣ）４００を含んでもよく、システムオンチップは１つ以上の目的（又は機能若しくは動作）を実行するための１つ以上の部分を含んでもよい。ＳＯＣ４００は、位置タグデバイス１０８の１つ以上の他の回路に結合されてもよい。例えば、位置タグデバイス１０８は、様々な種類のメモリ（例えば、ＮＡＮＤフラッシュ４１０を含む）、コネクタインタフェース（Ｉ／Ｆ）４２０（例えば、コンピュータシステム、ドック、充電ステーション、光（例えば、視覚出力用）、スピーカ（例えば、可聴出力用）などに結合するための）、電源４２５（取り外し不能、取り外し可能、及び交換可能、及び／又は再充電可能であってもよい）、及び通信回路（無線機）４５１（例えば、ＢＴ／ＢＬＥ、ＷＬＡＮ、ＬＰ／ＵＬＰ、ＵＷＢ）、を含んでもよい。
【００７４】
位置タグデバイス１０８は、少なくとも１つのアンテナを含んでもよく、いくつかの実施形態では、コンパニオンデバイス（例えば、クライアント局１０６、無線ノード１０７、ＡＰ１１２など）との無線通信を実行するための複数のアンテナ４５７及び４５８、並びに他の無線デバイス（例えば、クライアント局１０６、無線ノード１０７、ＡＰ１１２、他の位置タグデバイス１０８など）を含んでもよい。いくつかの実施形態では、１つ以上のアンテナが、単一の無線機及び／又は無線機プロトコルと共に使用するための専用であってもよい。いくつかの他の実施形態では、１つ以上のアンテナが、２つ以上の無線機及び／又は無線機プロトコルにわたって共有されてもよい。無線通信回路４５１は、ＵＷＢロジック４５２、ＬＰ／ＵＬＰロジック４５３、及び／又はＢＴ／ＢＬＥロジック４５４のいずれか／全てを含んでもよい。いくつかの実施形態では、無線通信回路は、任意選択的に、任意の他のプロトコル（単数及び複数）のためのロジック、例えば、Ｗｉ−Ｆｉロジック及び／又はセルラ（例えば、ライセンス補助アクセス（ＬＡＡ））ロジックを含んでもよい。ＢＴ／ＢＬＥロジック４５４は、位置タグデバイス１０８がＢｌｕｅｔｏｏｔｈ（登録商標）通信を実行できるようにするためのものである。ＵＷＢロジック４５２は、位置タグデバイス１０８がＵＷＢ通信を実行することを可能にするためのものである。ＬＰ／ＵＬＰロジック４５３は、位置タグデバイス１０８がＬＰ／ＵＬＰ通信を実行することを可能にするためのものである。いくつかの実施形態では、無線通信回路４５１には、多重入出力（multiple-input multiple output）（ＭＩＭＯ）構成などの複数の空間ストリームを受信及び／又は送信するための、複数の受信チェーン及び／又は複数の送信チェーンが含まれていてもよい。ＵＷＢロジック４５２、ＬＰ／ＵＬＰロジック４５３、及びＢＴ／ＢＬＥロジック４５４はそれぞれ、一方向又は双方向通信を実施するように独立して構成されてもよい。
【００７５】
図示するように、ＳＯＣ４００は、位置タグデバイス１０８に対してプログラム命令を実行してもよいプロセッサ（単数又は複数）４０２を含んでもよい。ＳＯＣ４００はまた、例えば、ジャイロスコープ、加速度計、及び／又は様々な他の動き感知構成要素のうちのいずれかを使用して、位置タグデバイス１０８の動きを検出するように構成され得る、動き感知回路４７０を含んでもよい。いくつかの実施形態では、ＧＰＳ受信機及び関連付けられた回路は、他の動き感知回路に加えて、又はその代わりに使用されてもよい。プロセッサ（単数又は複数）４０２はまた、メモリ管理ユニット（ＭＭＵ）４４０に（直接的又は間接的に）結合されてもよく、ＭＭＵ４４０は、プロセッサ（単数又は複数）４０２からアドレスを受信し、それらアドレスをメモリ（例えば、メモリ４０６、読み出し専用メモリ（ＲＯＭ）４５０、ＮＡＮＤフラッシュメモリ４１０）内の位置に変換し、及び／又は無線通信回路４５１などの他の回路若しくはデバイスに変換するように構成されてもよい。ＭＭＵ４４０は、メモリ保護及びページテーブル変換又はセットアップを実行するように構成されてもよい。いくつかの実施形態では、ＭＭＵ４４０は、プロセッサ（単数又は複数）４０２の一部として含まれてもよい。
【００７６】
上述したように、位置タグデバイス１０８は、１つ以上の隣接無線デバイスと無線通信するように構成されてもよい。いくつかの実施形態では、以下で更に説明するように、位置タグデバイス１０８は、本明細書に記載される方法を実行する（及び／又はその実行を支援する）ように構成されてもよい。
【００７７】
（位置タグ電力管理）
いくつかの実施形態では、位置タグデバイス１０８などのマルチインタフェーストランスポンダ（ＭＩＴ）デバイスは、複数の電力レベル及び／又は電力モードを含んでもよい。例えば、図５は、いくつかの実施形態による、ＭＩＴデバイスの様々な電力モードの例示的な状態図を示す。図示するように、ＭＩＴデバイスは、低電力モード５０２、超低電力モード５０４、高電力モード５０６、及び／又は超高電力モード５０８などの様々な電力モードのいずれかで動作してもよい。更に、図示するように、ＭＩＴデバイスは、様々なモードのうちのいずれかの間で遷移（又は切り替え）してもよい。モード間の遷移は、１つ以上の受信信号、センサデータ、タイミングデータ、環境データ、活動データ、位置データなどを含む、任意の要因又は要因の組み合わせに基づき得る。また、ＭＩＴデバイスは、現在のモードから任意の他の利用可能なモードに直接遷移するように構成され得る。しかしながら、いくつかの実現形態では、遷移は、１つ以上の介在モードを通る連続遷移を含んでもよい。例えば、ＭＩＴデバイスは、低電力モード５０２と、超低電力モード５０４（例えば、遷移５１０を介して）、より高い電力モード５０６（例えば、遷移５１６を介して）、及び／又は超高電力モード５０８（例えば、遷移５１８を介して）のうちのいずれかとの間で遷移してもよい。別の例として、ＭＩＴデバイスは、超低電力モード５０４と、低電力モード５０２（例えば、遷移５１０を介して）、より高い電力モード５０６（例えば、遷移５１２を介して）、及び／又は超高電力モード５０８（例えば、遷移５１４を介して）のうちのいずれかとの間で遷移してもよい。同様に、ＭＩＴデバイスは、高電力モード５０６と、低電力モード５０２（例えば、遷移５１６を介して）、超低電力モード５０４（例えば、遷移５１２を介して）、及び／又は超高電力モード５０８（例えば、遷移５２０を介して）のうちのいずれかとの間で遷移してもよい。加えて、ＭＩＴデバイスは、超高電力モード５０８と、低電力モード５０２（例えば、遷移５１８を介して）、超低電力モード５０４（例えば、遷移５１４を介して）、及び／又は高電力モード５０６（例えば、遷移５２０を介して）のうちのいずれかとの間で遷移してもよい。
【００７８】
いくつかの実施形態では、超低電力モード５０４は、例えば、位置タグデバイス１０８を参照して上述したように、ＬＰ／ＵＬＰインタフェース及び／又はＬＰ／ＵＬＰロジックに関連付けられていてもよい。いくつかの実施形態では、ＭＩＴデバイスは、トリガイベントまで超低電力モード５０４に留まっていてもよい。いくつかの実施形態では、トリガイベントは、ＭＩＴデバイスを、より高い電力動作モード（例えば、低電力モード５０８、高電力モード５０４，及び／又は超高電力モード５０８のいずれか）に遷移させてもよい。
【００７９】
いくつかの実施形態では、トリガイベントは、隣接デバイスから受信した信号／ビーコンであってもよい。いくつかの実施形態では、ウェイクアップ信号／ビーコンは、ＭＩＴデバイスに固有であってもよく、又は、例えば、ＭＩＴデバイスのセット又は全てのＭＩＴデバイスに適用可能な一般的な信号／ビーコンであってもよい。換言すれば、ＭＩＴデバイスは、ＭＩＴデバイスをウェイクアップすることを意図している隣接デバイスからウェイクアップ信号／ビーコンを受信してもよく、又はＭＩＴデバイスは、ウェイクアップ信号／ビーコンの受信範囲内の任意のＭＩＴデバイス（又はＭＩＴデバイスの特定のタイプ（単数及び複数）のいずれか）をウェイクアップすることを意図している隣接デバイスからウェイクアップ信号／ビーコンを受信してもよい。いくつかの実施形態では、ウェイクアップ信号は、ＬＰ／ＵＬＰ通信を介して受信されてもよい。いくつかの実施形態では、ウェイクアップ信号は、例えば、隣接無線デバイスとのＵＬＰ／ＬＰ通信を介して、超低電力無線によって受信されてもよい。いくつかの実施形態では、ウェイクアップ信号／ビーコンは、ＭＩＴデバイスを、より高い電力動作モード（例えば、低電力モード５０２、高電力モード５０４、及び／又は超高電力モード５０８のいずれか）に遷移させてもよい。いくつかの実施形態では、超低電力モード５０４からの遷移は、ＭＩＴデバイスの現在位置ゾーン及び／又はコンパニオンデバイスの移動などの１つ以上の要因に少なくとも部分的に基づいて減速（又は遅延）されてもよい。
【００８０】
例えば、ＭＩＴデバイスが、その現在位置が安全ゾーン（例えば、ユーザの自宅、ユーザの仕事場、ユーザの車、及び／又は友人宅若しくは親類宅などの頻度の高い位置）内にあると判定した場合、ＭＩＴデバイスは、より高い電力モードへの遷移を遅延させてもよく、又は遷移を呼び出さなくてもよい。別の例として、コンパニオンデバイスの動きがＭＩＴデバイスの動きと類似していると、ＭＩＴデバイスが判定した場合、ＭＩＴデバイスは、恒常的な動作状態にあると判定し、より高い電力状態への遷移を遅延させてもよく、又は、より高い電力状態への遷移を呼び出さなくてもよい。
【００８１】
逆に、いくつかの実施形態では、超低電力モード５０４からの遷移は、ＭＩＴデバイスの現在位置又は位置ゾーン、及び／又は現在の輸送モードなどの、１つ以上の要因に少なくとも部分的に基づいて加速されてもよい。例えば、輸送の遷移が発生しているか、又は発生しそうである（例えば、列車、航空機、フェリー、タクシーを降りている、及び／又は列車、航空機、フェリー、タクシーに乗り込んでいる）と、ＭＩＴデバイスが判定した（又は通知された）場合、ＭＩＴデバイスは、より高い電力モードへの遷移を加速してもよい（例えば、たとえコンパニオンデバイスからの分離などの別のトリガがなくても遷移を実現する）。
【００８２】
いくつかの実施形態では、トリガイベントは、ＭＩＴデバイスによる移動の感知であってもよい。例えば、ＭＩＴデバイスは、例えば、動き感知回路を介して移動を監視し、ＭＩＴデバイスの移動に少なくとも部分的に基づいて、超低電力モード５０４からより高い電力モードへと遷移してもよい。いくつかの実施形態では、トリガイベントは、ＭＩＴデバイスの位置更新の間の経過時間に少なくとも部分的に基づいてもよい。いくつかの実施形態では、位置更新の間の経過時間は、ＭＩＴデバイスの位置モード（例えば、安全ゾーンモード、危険ゾーンモード、紛失モードなど）に少なくとも部分的に基づいてもよい。
【００８３】
例えば、トリガイベントに基づいて、ＭＩＴデバイスは低電力モード５０２に遷移し、低電力インタフェースを介して第１の速度にてビーコンを送信及び／又はビーコンをスキャンし始めてもよい。いくつかの実施形態では、ビーコン送信の周期数は約１〜２秒であってもよい。いくつかの他の実施形態では、ビーコン送信の周期数は、１秒未満、１〜５秒未満、又は５秒超であってもよい。いくつかの実施形態では、ビーコンは、ＢＬＥインタフェースを介して、又はＢＬＥロジックを介して送信されてもよい。いくつかの実施形態では、ビーコンの送信電力は、ＭＩＴデバイスの位置モード、及び／又は最後の位置更新からの経過時間に少なくとも部分的に基づいてもよい。例えば、ウェイクアップ時点で、より頻繁に、及び／又はより高い電力レベルにてＭＩＴデバイスがビーコンを送信し得る危険ゾーンモードと比べて、安全ゾーンモードでは、ＭＩＴデバイスは、ウェイクアップ時点で、より低頻度で、かつより低い電力レベルにてビーコンを送信してもよい。いくつかの実施形態では、ＭＩＴデバイスは、更新された位置の肯定応答に応じて超低電力モード５０４に遷移して戻ってもよい。いくつかの実施形態では、ＭＩＴデバイスは、超低電力モード５０４に遷移する前に、様々な基準（例えば、危険ゾーンへの進入の検出、コンパニオンデバイスから受信した命令、移動検出、コンパニオンデバイスからの分離の増加など）に依存して、高電力モード５０６及び／又は超高電力モード５０８のうちの１つに遷移してもよい。
【００８４】
別の例として、トリガイベントに基づいて、ＭＩＴデバイスは高電力モード５０６に遷移し、低電力インタフェースを介して第２の速度にてビーコンを送信及び／又は受信し始めてもよい。いくつかの実施形態では、ビーコン送信の周期数は約１〜１０ミリ秒であってもよい。いくつかの他の実施形態では、周期数は、１ミリ秒未満、数十ミリ秒未満、又は数百ミリ秒未満であってもよい。いくつかの実施形態では、ビーコンは、ＢＬＥインタフェースを介して、又はＢＬＥロジックを介して送信されてもよい。いくつかの実施形態では、ビーコンの送信電力は、ＭＩＴデバイスの位置モード、及び／又は最後の位置更新からの経過時間に少なくとも部分的に基づいてもよい。例えば、ウェイクアップ時点で、より頻繁に、及び／又はより高い電力レベルにてＭＩＴデバイスがビーコンを送信し得る危険ゾーンモードと比べて、安全ゾーンモードでは、ＭＩＴデバイスは、ウェイクアップ時点で、より低頻度で、及び／又はより低い電力レベルにてビーコンを送信してもよい。いくつかの実施形態では、ＭＩＴデバイスは、更新された位置の肯定応答に応じて超低電力モード５０４に遷移して戻ってもよい。いくつかの実施形態では、ＭＩＴデバイスは、超低電力モード５０４に遷移する前に、様々な基準（例えば、危険ゾーンへの進入の検出、コンパニオンデバイスから受信した命令、移動検出、コンパニオンデバイスからの分離など）に依存して、低電力モード５０２及び／又は超高電力モード５０８のうちの１つに遷移してもよい。
【００８５】
更なる例として、ＭＩＴデバイスは超高電力モード５０８に遷移し、高電力インタフェースを介して第１の速度にてビーコンを送信し始めてもよい。いくつかの実施形態では、ビーコンは、ＵＷＢインタフェースを介して、又はＵＷＢロジックを介して送信されてもよい。いくつかの実施形態では、超高電力モード５０８は、コンパニオンデバイスがＭＩＴデバイスを探している（例えば、正確に位置決定しようと試みている）時に開始されてもよい。いくつかの実施形態では、ＭＩＴデバイスは、更新された位置の肯定応答に応じて超低電力モード５０４に遷移して戻ってもよい。いくつかの実施形態では、ＭＩＴデバイスは、超低電力モード５０４に遷移する前に、様々な基準（例えば、危険ゾーンへの進入の検出、コンパニオンデバイスから受信した命令、移動検出など）に依存して、低電力モード５０２及び／又は超高電力モード５０８のうちの１つに遷移してもよい。
【００８６】
図６Ａ〜図６Ｃは、いくつかの実施形態に係る、隣接デバイスを介して位置を更新するＭＩＴデバイスの例を示す。図示するように、ＭＩＴデバイス６０８は、コンパニオン（又は信頼された）デバイス６０２（例えば、ＭＩＴデバイスに関連付けられたデバイスであって、例えば、ＭＩＴデバイスを、位置サーバ６１４などの位置サーバに登録するために使用されるデバイス）、及び／又は、非コンパニオンデバイス６０４ａ及び６０４ｎ（例えば、位置サーバ６１４などの位置サーバに関連付けられているが、ＭＩＴデバイスには関連付けられたデバイスではないデバイス）、などの１つ以上の隣接デバイスの範囲内にあってもよい。ＭＩＴデバイス６０８は、トリガイベント６２０、６３０、又は６４０などのトリガイベントを検出／感知してもよい。トリガイベントに応答して、ＭＩＴデバイス６０８は、超低電力動作モードからより高い電力動作モードに遷移し、ビーコン／信号６１０を送信し始めてもよい。ＭＩＴデバイス６０８によって送信されるビーコン／信号の周期数、電力、及びタイプは、ＭＩＴデバイスの電力モードに少なくとも部分的に基づいてもよいことに留意されたい。したがって、いくつかの実施形態では、ビーコン／信号６１０は、低速（例えば、約１〜２秒毎に）送信される低電力ビーコン／信号（例えば、ＢＬＥビーコン／信号）、高速で（例えば、約１〜１０ミリ秒毎に）送信されるより低い電力ビーコン／信号、及び／又は、より高い電力ビーコン／信号（例えば、ＵＷＢビーコン／信号）であってもよい。
【００８７】
例えば、図６Ａに示すように、トリガイベント６２０の後、ＭＩＴデバイス６０８は１つ以上のビーコン６１０を送信してもよい。ビーコン６１０のうちの少なくとも１つは、コンパニオンデバイス６０２によって受信されてもよい。少なくとも１つのビーコン６１０の受信の時点で、コンパニオンデバイス６０２は、ＭＩＴデバイス６０８と通信６２２を交換してもよい。通信６２２に基づいて、コンパニオンデバイス６０２は、通信６２４及び６２６を介して、ＭＩＴデバイス６０８の更新された位置で位置サーバ６１４を更新してもよい。いくつかの実施形態では、通信６２４及び６２６は、位置サーバ６１４とのプッシュ通知接続を介して伝達されてもよい。位置サーバ６１４が、いったんＭＩＴデバイス６０８の更新された位置を確認したら、コンパニオンデバイス６０２は、１つ以上の確認メッセージ６２８をＭＩＴデバイス６０８と交換してもよい。６２９において、ＭＩＴデバイス６０８は、例えば、上述したように、超低電力モード及び／又は１つ以上の他の電力モードに遷移して戻ってもよい。
【００８８】
別の例として、図６Ｂに示すように、トリガイベント６３０の後、ＭＩＴデバイス６０８は１つ以上のビーコン６１０を送信してもよい。ビーコン６１０のうちの少なくとも１つは、非コンパニオンデバイス６０４ａによって受信されてもよい。少なくとも１つのビーコン６１０の受信の時点で、非コンパニオンデバイス６０４ａは、ＭＩＴデバイス６０８と通信６３２を交換してもよい。通信６３２に基づいて、非コンパニオンデバイス６０４ａは、通信６３４及び６３６を介して、ＭＩＴデバイス６０８の更新された位置で位置サーバ６１４を更新してもよい。いくつかの実施形態では、通信６３４及び６３６は、位置サーバ６１４とのプッシュ通知接続を介して伝達されてもよい。位置サーバ６１４が、いったんＭＩＴデバイス６０８の更新された位置を確認したら、非コンパニオンデバイス６０４ａは、１つ以上の確認メッセージ６３８をＭＩＴデバイス６０８と交換してもよい。６３９において、ＭＩＴデバイス６０８は、例えば、上述したように、超低電力モード及び／又は１つ以上の他の電力モードに遷移して戻ってもよい。
【００８９】
更なる例として、図６Ｃに示すように、トリガイベント６４０の後、ＭＩＴデバイス６０８は１つ以上のビーコン６１０を送信してもよい。ビーコン６１０のうちの少なくとも１つは、非コンパニオンデバイス６０４ｎによって受信されてもよい。少なくとも１つのビーコン６１０の受信の時点で、非コンパニオンデバイス６０４ｎは、ＭＩＴデバイス６０８と通信６４２を交換してもよい。通信６４２に基づいて、非コンパニオンデバイス６０４ｎは、通信６４４及び６４６を介して、ＭＩＴデバイス６０８の更新された位置で位置サーバ６１４を更新してもよい。いくつかの実施形態では、通信６４４及び６４６は、位置サーバ６１４とのプッシュ通知接続を介して伝達されてもよい。位置サーバ６１４が、いったんＭＩＴデバイス６０８の更新された位置を確認したら、非コンパニオンデバイス６０４ｎは、１つ以上の確認メッセージ６４８をＭＩＴデバイス６０８と交換してもよい。６４９において、ＭＩＴデバイス６０８は、例えば、上述したように、超低電力モード及び／又は１つ以上の他の電力モードに遷移して戻ってもよい。
【００９０】
図７は、いくつかの実施形態に係る、マルチインタフェーストランスポンダ（ＭＩＴ）デバイスの電力管理のための例示的方法のブロック図を示す。図７に示す方法は、他のデバイスの中で、図に示されたシステム又はデバイスのいずれかと共に使用されてもよい。様々な実施形態では、図示の方法要素の一部は、同時に実行してもよく、図示のものとは異なる順序で実行してもよく、又は省略してもよい。要望に応じて、追加の方法要素も実行されてもよい。示されるように、この方法は、以下のように動作してもよい。
【００９１】
７０２において、ＭＩＴデバイスは、第１の電力状態にある間に、少なくとも部分的にイベントの検出に基づいて、第２の電力状態に遷移することを決定してもよい。いくつかの実施形態では、イベントは、ＭＩＴデバイスのインタフェース、例えば第１のインタフェース、及び／又は感知回路、例えば動き感知回路、を介して検出可能であってもよい。例えば、いくつかの実施形態では、イベントは、第１のインタフェースを介してウェイクアップ指示を（クライアント局１０６及び／又は無線ノード１０７などの、コンパニオンデバイスから）受信することを含んでもよい。いくつかの実施形態では、第１のインタフェースは、超低電力無線周波数（ＲＦ）インタフェース（例えば、ウェイクアップ無線機及び／又はウェイクアップ受信機など）であってもよい。いくつかの実施形態では、イベントは、ＭＩＴデバイスの、例えば閾値を超える、移動（及び／又は移動の変化）を検出することを含んでもよい。いくつかの実施形態では、例えば、移動が輸送モードに関連付けられていることをコンパニオンデバイスが示す場合は、ＭＩＴデバイスは、動き回路によって検出された動きを無視してもよいことに留意されたい。
【００９２】
７０４において、ＭＩＴデバイスは第２の電力状態に遷移してもよい。いくつかの実施形態では、第２の電力状態に遷移することは、ＭＩＴデバイスの第２のインタフェースをアクティブ化することを含んでもよい。いくつかの実施形態では、第２のインタフェースは、Ｂｌｕｅｔｏｏｔｈ（登録商標）インタフェース及び／又は超広帯域（ＵＷＢ）インタフェースのうちの１つであってもよい。いくつかの実施形態では、ＭＩＴデバイスは、どのインタフェースをアクティブ化させるかを、検出されたイベントに少なくとも部分的に基づいて決定してもよい。
【００９３】
７０６において、ＭＩＴデバイスは、第２の電力状態にある間に、検出されたイベントに少なくとも部分的に基づいて、選択されたインタフェースを介して１つ以上のビーコンを送信してもよい。例えば、イベントがウェイクアップ指示を受信することを含む場合、ウェイクアップ指示は、特定のインタフェースをアクティブ化する命令を含んでもよい。加えて、いくつかの実施形態では、命令は、１つ以上の送信間隔及び／又は送信電力を含んでもよい。例えば、命令は、Ｂｌｕｅｔｏｏｔｈ（登録商標）インタフェースのアクティブ化を示してもよい。加えて、命令は、送信速度（例えば、約１〜２秒毎のより遅い速度、又は、例えば、約１〜１０ミリ秒毎のより高い速度）を示してもよい。更に、命令は、（例えば、輻輳に基づいて）送信電力を示してもよい。別の例として、命令は、超広帯域インタフェースのアクティブ化、並びに、関連付けられた送信周波数及び／又は送信電力情報を示してもよい。
【００９４】
７０８において、ＭＩＴデバイスは、第２の電力状態にある間に、隣接無線デバイスから位置更新の指示を受信してもよい。いくつかの実施形態では、隣接無線デバイスは、コンパニオンデバイス（例えば、ＭＩＴデバイスとのセキュアな接続／セキュアな関係を有するデバイス）であってもよい。いくつかの実施形態では、コンパニオンデバイスは、無線局１０６などの無線局であってもよい。いくつかの実施形態では、コンパニオンデバイスは、無線ノード１０７などの無線ノードであってもよい。コンパニオンデバイスはまた、位置サーバへの登録においてＭＩＴデバイスを支援したデバイスを含んでもよいことに留意されたい。いくつかの実施形態では、コンパニオンデバイスは、複数のＭＩＴデバイスをサポートしてもよい。いくつかの実施形態では、隣接無線デバイスは、位置サーバに関連付けられた非コンパニオンデバイス（例えば、ＭＩＴデバイスとのセキュアな接続／セキュアな関係を持たないデバイス）であってもよい。例えば、非コンパニオンデバイスは、位置サーバと通信してもよく、非コンパニオンデバイスに関連付けられていないＭＩＴデバイスの位置を更新するように構成されてもよい。したがって、非コンパニオンデバイスは、例えば、ＭＩＴデバイスがコンパニオンデバイス（の通信範囲から外れて）から分離された時（又は、分離されたら）、ＭＩＴデバイスの位置の更新を支援してもよい。
【００９５】
７１０において、ＭＩＴデバイスは、少なくとも部分的に指示に基づいて、第２の電力状態から第３の電力状態に遷移してもよい。例えば、いくつかの実施形態では、指示は、ＭＩＴデバイスが超低電力状態（例えば、超低電力モード５０４など）に遷移して戻るようにさせ（又は指示させ）てもよい。代替として、指示は、ＭＩＴデバイスが、（例えば、低電力モード５０２などの低電力状態から、高電力モード５０６などのより高い電力状態へと）低送信速度からより高い送信速度へと遷移することを生じさせる（又は指示する）ことができる。いくつかの実施形態では、この指示は、別のインタフェースのアクティブ化及び／又は非アクティブ化を引き起こしてもよい。例えば、第２の電力状態は、Ｂｌｕｅｔｏｏｔｈ（登録商標）インタフェースのアクティブ化を含んでもよく、第３の電力状態への遷移は、超広帯域インタフェースのアクティブ化を引き起こしてもよい。更に、いくつかの実現形態では、第３の電力状態への遷移は、Ｂｌｕｅｔｏｏｔｈ（登録商標）インタフェースの非アクティブ化を引き起こしてもよい。別の例として、第２の電力状態は、Ｂｌｕｅｔｏｏｔｈ（登録商標）又は超広帯域インタフェースのアクティブ化を含んでもよく、第３の電力状態への遷移は、アクティブ化されたインタフェースの非アクティブ化を含んでもよい。
【００９６】
いくつかの実施形態では、デバイス１０８などのマルチインタフェーストランスポンダ（ＭＩＴ）デバイスの電力管理は、少なくとも部分的に、ＭＩＴデバイスの地理的位置ゾーン及び／又は位置モードに基づいてもよい。例えば、ＭＩＴデバイスは、ＭＩＴデバイスが紛失した、例えば、特定の期間を超えてコンパニオンデバイスから分離された、との判定に少なくとも部分的に基づいて、電力モードを変更してもよい。別の例として、ＭＩＴデバイスは、例えば、列車停止、車停止、飛行機着陸、フェリードッキングなどの、輸送モードにおける遷移中に、ＭＩＴデバイスが危険ゾーンの中（又は最中）にあるとの判断に少なくとも部分的に基づいて、電力モードを変更してもよい。更に別の例として、ＭＩＴデバイスは、電力モードを変更することに関して、コンパニオン及び位置の要因などの複数の要因を考慮してもよい。なお別の例として、ＭＩＴデバイスは、ＭＩＴデバイスが安全ゾーン内（又は内部）にある、例えば、ユーザの家、ユーザがしばしば訪問する場所（友人又は親類の家、仕事場など）にある、と判定することに少なくとも部分的に基づいて、電力モードを変更してもよい。
【００９７】
例えば、いくつかの実施形態では、例えば、位置タグデバイス１０８などのマルチインタフェーストランスポンダ（ＭＩＴ）デバイスは、例えば、コンパニオンデバイスとの最後の通信からの継続時間に基づいて、そのデバイスが紛失したと判定してもよい。いくつかの実施形態では、判定は、位置サーバに関連付けられたデバイスからの位置更新及び／又は信号受信からの継続時間に少なくとも部分的に更に基づいてもよい。そのような場合では、ＭＩＴデバイスは、紛失動作モードに関連付けられた電力状態（又は電力モード）に遷移してもよい。いくつかの実施形態では、紛失モードで動作することは、ＭＩＴデバイスが、送信電力及び／又は送信速度を変更及び／又は調整して、更に、電池電力を節約し発見の確率を増加させることを含んでもよい。例えば、送信速度は、図８Ａに示すように、少なくとも部分的に時刻に基づいてもよい。図示するように、ＭＩＴデバイスは、例えば、隣接デバイスに遭遇する可能性がより高くなり得る時である昼間部分の間にビーコンをより高い速度で送信してもよい。加えて、いくつかの実施形態では、ＭＩＴデバイスは、電池電力を更に節約するために、２４時間サイクルの大部分を送信せずに過ごす一方で（例えば、スリープ中）、送信のセット（例えば、送信バースト）を短い時間枠内でクラスタ化してもよい。別の例として、図８Ｂに示すように、ＭＩＴデバイスは、位置サーバに関連付けられたデバイスから信号を受信してからの継続時間に少なくとも部分的に基づいて、送信電力を調整してもよい。例えば、ＭＩＴデバイスは、継続時間が増加するにつれて、及び／又は昼間部分の間に、（例えば、送信範囲を拡大させるために）送信電力を増加させてもよい。いくつかの実施形態では、送信電力の増加は、例えば、図８Ａに示すように、電池電力を維持するために、送信周期数及び／又は送信サイクルの減少によってオフセットされてもよい。更に、いくつかの実施形態では、図８Ｂに示すように、送信電力は、継続時間（例えば、最後の位置更新から）が増加するにつれて漸増式に増加させてもよい。いくつかの実施形態では、一定期間後、電池電力を更に節約するために、送信電力を漸増式に低減させてもよい。期間（最後に接触してからの時間）が増加するにつれて、ＭＩＴデバイスによる送信の決定（例えば、送信速度、送信周波数、送信電力など）が、ＭＩＴデバイスの電池寿命を長くするために変更されてもよいことに留意されたい。換言すれば、期間が時間の範囲内にある場合、期間が、日（積極的な送信パターンであり、電池節約に関する考慮がいくらかある）、又は週（積極性が劣る送信パターンであり、電池寿命に関する考慮がもっとある）、又は更には月（電池節約に最も積極的であり、高度に節約的な送信パターン）の範囲内にある場合と比較して、ＭＩＴデバイスは、異なる送信パターン（例えば、最も積極的な送信パターンであり、電池節約に関する考慮が少ない）を採用してもよい。
【００９８】
図９は、いくつかの実施形態に係る、マルチインタフェーストランスポンダ（ＭＩＴ）デバイスの電力管理のための方法の別の例のブロック図を示す。図９に示す方法は、他のデバイスの中でもとりわけ、上記の図に示されたシステム又はデバイスのいずれかと共に使用されてもよい。様々な実施形態では、図示の方法要素の一部は、同時に実行してもよく、図示のものとは異なる順序で実行してもよく、又は省略してもよい。要望に応じて、追加の方法要素も実行されてもよい。示されるように、この方法は、以下のように動作してもよい。
【００９９】
９０２において、デバイス１０８などのＭＩＴデバイスは、ＭＩＴデバイスの状態を判定してもよい。いくつかの実施形態では、状態は、コンパニオンデバイスと通信してからの継続時間に少なくとも部分的に基づいてもよい。いくつかの実施形態では、状態は、ＭＩＴデバイスに関連付けられた位置が位置サーバで更新されたという指示を、ＭＩＴデバイスが受信してからの継続時間に少なくとも部分的に更に基づいてもよい。いくつかの実施形態では、状態は、ＭＩＴデバイスが、例えば、無線局１０６、無線ノード１０７、及び／又はＡＰ１１２などの隣接無線デバイスから信号を受信してからの継続時間に少なくとも部分的に更に基づいてもよい。いくつかの実施形態では、状態は、ＭＩＴデバイスが紛失した（例えば、コンパニオンデバイスから分離された）という判定に関連付けられてもよい。
【０１００】
９０４において、ＭＩＴデバイスは、少なくとも部分的に状態に基づいて、第１の動作モードに遷移してもよい。いくつかの実施形態では、動作モードは、紛失動作モードに関連付けられてもよく、ＭＩＴデバイスの動作寿命を延長するように構成されてもよい。例えば、いくつかの実施形態では、第１の動作モードは、電力節約（例えば、スリープ）の長い部分と、それに続くビーコン送信の短いバーストを含んでもよい。換言すれば、ＭＩＴデバイスは、第１のインタフェース（例えば、Ｂｌｕｅｔｏｏｔｈ（登録商標）インタフェース）を介して、第１の時間部分（例えば、２４時間の期間の最初の部分）にわたって高速でビーコンを送信し、残りの時間部分を省電力状態で過ごしてもよい。いくつかの実施形態では、第１の時間部分は、発見の確率を増加させるために、少なくとも部分的に昼間時間（例えば、ＭＩＴデバイスの光センサによって感知されるような、又はＭＩＴデバイスによって保持された時間に対応する）に対応してもよい。いくつかの実施形態では、ＭＩＴデバイスは、最後に位置更新してからの継続時間が増加するにつれて、発見範囲を増加させるために送信電力を増加させてもよい。いくつかの実施形態では、送信電力を増加させることが電力消費に悪影響を及ぼすので、ＭＩＴデバイスは、一定期間に送信されるビーコン数を減少させることにより電力消費の増加を緩和させてもよいことに留意されたい。更に、いくつかの実施形態では、ＭＩＴデバイスは、隣接無線デバイスを発見しようとする試みにおいて、送信（又は送信のクラスタ）の頻度を変化させてもよい。
【０１０１】
別の例として、ＭＩＴデバイスは、例えば、列車停止、車停止、飛行機着陸、フェリードッキングなどの、輸送モードにおける遷移中に、ＭＩＴデバイスが危険ゾーンの中（又は最中）にあるとの判断に少なくとも部分的に基づいて、電力モードを変更してもよい。いくつかの実施形態では、例えば、クライアント局１０６及び／又は無線ノード１０７などのコンパニオンデバイスが、輸送モード（例えば、車両、飛行機、列車、ボートなど）を判定してもよい。加えて、コンパニオンデバイスは、輸送モードにおける遷移に対する移動（例えば、車両停止、飛行機着陸、列車減速、ボートドッキングなど）、又は経路に沿った位置（例えば、既知の遷移点又は宛先に近づく）、を監視してもよい。輸送モードにおける遷移を検出した時点で、コンパニオンデバイスは、ＭＩＴデバイスに遷移を通知するか、又はモードの変化を信号で伝えてもよい。いくつかの実施形態では、ＭＩＴデバイスは、より大きい速度及び／又はより高い送信電力で送信するために、その電力モードを変更してもよい。
【０１０２】
例えば、再び図５を参照すると、輸送中、ＭＩＴデバイスは、超低電力モード５０４にあってもよく、通知時点で、高電力モード５０６に遷移してもよい。いくつかの実施形態では、ＭＩＴデバイスは、Ｂｌｕｅｔｏｏｔｈ（登録商標）インタフェースをアクティブ化し、ビーコンをより大きい速度（例えば、約１〜１０ミリ秒毎）で送信してもよい。いくつかの実施形態では、ＭＩＴデバイスとコンパニオンデバイスとの間の距離が約１メートル（例えば、２〜３フィート）を超えて増加した場合、警報又は通知（例えば、視覚、可聴、及び／又は触覚）がコンパニオンデバイスから出力されてもよい。加えて、コンパニオンデバイスは、例えば高電力モード５０６から超高電力モード５０８へと、より高い電力モードに遷移させるための命令をＭＩＴデバイスに送ってもよい。いくつかの実施形態では、ＭＩＴデバイスは、位置検出の精度を高めるために、超広帯域インタフェースをアクティブ化してもよい。いくつかの実施形態では、ＭＩＴデバイスはまた、Ｂｌｕｅｔｏｏｔｈ（登録商標）インタフェースを非アクティブ化してもよい。加えて、より多くの（例えば、平均を超える）アクセスを有する媒体輻輳（干渉）（例えば、危険ゾーン）の領域では、コンパニオンデバイスは、（例えば、送信速度及び／又は送信電力を増加させることに加えて）、位置更新速度を更に増加させるために、サポートされたＭＩＴデバイスに命令を送信してもよい。いくつかの実施形態では、コンパニオンデバイスは、増大した輻輳（及び／又は、増加したアクセス媒体トラフィックによって引き起こされる干渉）を緩和させるために、スキャンウィンドウ長及び／又はスキャンウィンドウ周波数を増加させてもよい。いくつかの実施形態では、コンパニオンデバイスは、複数のＭＩＴデバイスをサポートしてもよいことに留意されたい。したがって、いくつかの実施形態では、コンパニオンデバイスは、サポートされていないＭＩＴデバイスからビーコンをフィルタで除去できる。
【０１０３】
図１０は、いくつかの実施形態に係る、地理的ゾーンに基づく、マルチインタフェーストランスポンダ（ＭＩＴ）デバイスの電力モード切り替えのための別の例示的方法のブロック図を示す。図１０に示す方法は、他のデバイスの中でもとりわけ、上記の図に示されたシステム又はデバイスのいずれかと共に使用されてもよい。様々な実施形態では、図示の方法要素の一部は、同時に実行してもよく、図示のものとは異なる順序で実行してもよく、又は省略してもよい。要望に応じて、追加の方法要素も実行されてもよい。示されるように、この方法は、以下のように動作してもよい。
【０１０４】
１００２において、デバイス１０８などのＭＩＴデバイスは、輸送モードにおける遷移の指示を受信してもよい。指示は、第１のインタフェースを介して、及びコンパニオンデバイスから受信されてもよい。コンパニオンデバイスは、クライアント局１０６などのＵＥデバイス、無線ノード１０７などのウェアラブルデバイス、及び／又はＡＰ１１２などのアクセスポイントデバイスであってもよい。第１のインタフェースは、第１の電力状態に対応してもよい。加えて、第１のインタフェースは、超低電力無線周波数インタフェース（例えば、ウェイクアップ無線機及び／又はウェイクアップ受信機など）であってもよい。いくつかの実施形態では、輸送モードは、少なくとも１つの搬送手段、例えば、車両、列車、ボート、又は飛行機を含むか又は示してもよい。
【０１０５】
１００４において、ＭＩＴデバイスは、指示に応答して、第２の電力状態に遷移してもよい。いくつかの実施形態では、第２の電力状態は、第２のインタフェースのアクティブ化に関連付けられてもよい。第２のインタフェースは、第１のインタフェースよりも多くの電力を消費してもよい。いくつかの実施形態では、第２のインタフェースは、Ｂｌｕｅｔｏｏｔｈ（登録商標）又は超広帯域インタフェースのうちの１つであってもよい。
【０１０６】
１００６において、ＭＩＴデバイスは、第２のインタフェースを介して、第１の送信速度にて、かつ第１の送信電力にて、１つ以上のビーコンをコンパニオンデバイスに送信してもよい。いくつかの実施形態では、ＭＩＴデバイスは、コンパニオンデバイスから、輸送モードにおける遷移の終了の指示を受信してもよい。これに応答して、ＭＩＴデバイスは、第１の電力状態に遷移して戻ってもよい。場合によっては、ＭＩＴデバイスは、コンパニオンデバイスがＭＩＴデバイスから閾値距離を超えて移動したという指示を、コンパニオンデバイスから受信してもよい。それに応じて、ＭＩＴデバイスは、１つ以上のビーコンの第１の送信速度を第２の送信速度に増加させてもよい。いくつかの実施形態では、閾値距離は約１メートル（例えば、２〜３フィート）であってもよい。いくつかの実施形態では、ＭＩＴデバイスは、送信電力を増加させるための指示を、コンパニオンデバイスから受信してもよい。いくつかの実施形態では、指示は、より高いレベル（例えば、平均を超える）の輻輳の存在を判定することに少なくとも部分的に基づいてもよい。
【０１０７】
いくつかの実施形態では、無線局１０６及び／又は無線ノード１０７などのコンパニオンデバイスは、例えば、ＭＩＴデバイスがコンパニオンデバイスにブロードキャストしていない場合であっても、ユーザがＭＩＴデバイスを物理的に発見することを支援するために、デバイス１０８などのマルチインタフェーストランスポンダ（ＭＩＴ）デバイスの最後の位置を使用してもよい。例えば、コンパニオンデバイスは、超広帯域通信を介して、１つ以上の信号を送って、ＭＩＴデバイスをウェイクアップさせ、ＭＩＴデバイスの位置を（コンパニオンデバイスに対して）決定してもよい。ＭＩＴデバイスの位置がいったん決定されると、ＭＩＴデバイスは送信（例えば、超低電力モード５０４への遷移）を中断してもよい。例えば、ＭＩＴデバイスのセンサは、ＭＩＴデバイスが位置決定されたことを、例えば、動きなどを通して検出することができる。加えて、ＭＩＴを見つけることの一部として、コンパニオンデバイスは、ＭＩＴデバイスの位置を示す地図ビュー及び／又は拡張現実（ＡＲ）ビューを表示してもよい。いくつかの実施形態では、コンパニオンデバイスが移動されるにつれて、地図ビュー／ＡＲビューは、コンパニオンデバイスの移動に基づいて更新されてもよい。換言すれば、コンパニオンデバイスに対するＭＩＴデバイスの位置は、コンパニオンデバイスの移動に少なくとも部分的に基づいて更新されてもよい。
【０１０８】
図１１〜図１４は、いくつかの実施形態に係る、ＭＩＴの動作方法の例のブロック図を示す。図１１〜図１４に示す方法は、他のデバイスの中でもとりわけ、上記の図に示されたシステム又はデバイスのいずれかと共に使用されてもよい。様々な実施形態では、図示の方法要素の一部は、同時に実行してもよく、図示のものとは異なる順序で実行してもよく、又は省略してもよい。要望に応じて、追加の方法要素も実行されてもよい。図示するように、これら方法は、以下のように動作してもよい。
【０１０９】
図１１を参照すると、１１０２において、低電力無線インタフェース（例えば、ウェイクアップ無線機及び／又はウェイクアップ受信機）、中電力無線インタフェース（例えば、Ｂｌｕｅｔｏｏｔｈ（登録商標）（ＢＴ）及び／又はＢｌｕｅｔｏｏｔｈ（登録商標）  Ｌｏｗ  Ｅｎｅｒｇｙ（ＢＬＥ））、及び／又は高電力無線インタフェース（例えば、ＵＷＢ、６０ＧＨｚ）のうちのいずれか／全てを有するＭＩＴデバイス（ＭＩＴデバイス１０８など）が、低電力動作モードにあってもよい（例えば、低電力動作モードで動作する）。低電力モードでは、ＭＩＴデバイスは、低電力無線インタフェースを介して、ＭＩＴデバイスにアドレス指定されたメッセージ（例えば、ビーコン、ポーリング、プローブなど）を定期的にスキャンしてもよく、メッセージは、より高い電力無線インタフェースをアクティブ化するようにＭＩＴデバイスに信号で合図してもよい。メッセージは、関連付けられたデバイス（例えば、無線局１０６、無線ノード１０７及び／又はＡＰ１１２などの、ペアリングされたデバイス又は同じ若しくは関連するユーザアカウントに関連付けられたデバイス）から、又は関連付けられていないデバイス（例えば、異なるユーザアカウントに関連付けられたデバイス）から受信してもよい。いくつかの実施形態では、電池電力を節約するための低電力モードにある間は、ＭＩＴデバイスは規則的に（例えば、連続的に又は周期的に）送信しなくてもよい。更に、スキャンウィンドウ期間（例えば、ウィンドウの幅）及び間隔（例えば、間隔の周期）が設定されてもよく、又は、例えば、バッテリレベル、輻輳／干渉、時刻、センサデータなどの１つ以上の要因に応答して動的に調整されてもよい。加えて、ＭＩＴデバイスは、ＭＩＴデバイスに一意的にアドレス指定されたメッセージに、ＭＩＴデバイスを含むグループ（又はセット）にアドレス指定されたメッセージに、又は全てのＭＩＴデバイスにアドレス指定されたメッセージに、応答してもよい。ＭＩＴデバイスはまた、例えば、異なるＭＩＴデバイスに又はＭＩＴデバイスが属さないグループに一意的にアドレス指定されたメッセージなどの、ＭＩＴデバイスにアドレス指定されなかったメッセージを無視してもよい。
【０１１０】
１１０４において、スキャンウィンドウの間にＭＩＴデバイスにアドレス指定されたメッセージが、低電力インタフェースを介して無線デバイスから受信されてもよい。それに応じて、１１０６において、ＭＩＴデバイスは、ＢＴ又はＢＬＥインタフェースなどの少なくとも１つのより高い電力インタフェースをアクティブ化してもよく、例えば、応答を送信することによって、無線デバイスとの通信を確立してもよい。１１０８において、通信を通じて、ＭＩＴデバイスは、更新された位置情報、及び／又は１つ以上のコマンド、例えば、高電力インタフェースをアクティブ化するコマンド及び／又は１つ以上の信号（例えば、可聴、視覚、触覚）を出力するコマンド、を受信できる。
【０１１１】
１１１０において、ＭＩＴデバイスは、残りの動作のいずれかが中電力又は高電力インタフェースを介して実行されるかどうかを判定してもよい。残りの動作が実行されない場合は、ＭＩＴデバイスは、低電力インタフェース以外の全てのインタフェースを非アクティブ化してもよく、スキャンウィンドウを介して監視を再開してもよい。
【０１１２】
図１２を参照すると、１２０２において、低電力無線インタフェース（例えば、ウェイクアップ無線機及び／又はウェイクアップ受信機）、中電力無線インタフェース（例えば、Ｂｌｕｅｔｏｏｔｈ（登録商標）（ＢＴ）及び／又はＢｌｕｅｔｏｏｔｈ（登録商標）  Ｌｏｗ  Ｅｎｅｒｇｙ（ＢＬＥ））、及び／又は高電力無線インタフェース（例えば、ＵＷＢ、６０ＧＨｚ）のうちのいずれか／全てを有するＭＩＴデバイス（ＭＩＴデバイス１０８など）が、低電力動作モードにあってもよい（例えば、低電力動作モードで動作する）。低電力モードでは、ＭＩＴデバイスは、低電力無線インタフェースを介して、ＭＩＴデバイスにアドレス指定されたメッセージ（例えば、ビーコン、ポーリング、プローブなど）を定期的にスキャンしてもよく、メッセージは、より高い電力無線インタフェースをアクティブ化するようにＭＩＴデバイスに信号で合図してもよい。メッセージは、関連付けられたデバイス（例えば、無線局１０６、無線ノード１０７及び／又はＡＰ１１２などの、ペアリングされたデバイス又は同じ若しくは関連するユーザアカウントに関連付けられたデバイス）から、又は関連付けられていないデバイス（例えば、異なるユーザアカウントに関連付けられたデバイス）から受信してもよい。いくつかの実施形態では、電池電力を節約するための低電力モードにある間は、ＭＩＴデバイスは規則的に（例えば、連続的に又は周期的に）送信しなくてもよい。更に、スキャンウィンドウ期間（例えば、ウィンドウの幅）及び間隔（例えば、間隔の周期）が設定されてもよく、又は、例えば、バッテリレベル、輻輳／干渉、時刻、センサデータなどの１つ以上の要因に応答して動的に調整されてもよい。加えて、ＭＩＴデバイスは、ＭＩＴデバイスに一意的にアドレス指定されたメッセージに、ＭＩＴデバイスを含むグループ（又はセット）にアドレス指定されたメッセージに、又は全てのＭＩＴデバイスにアドレス指定されたメッセージに、応答してもよい。ＭＩＴデバイスはまた、例えば、異なるＭＩＴデバイスに又はＭＩＴデバイスが属さないグループに一意的にアドレス指定されたメッセージなどの、ＭＩＴデバイスにアドレス指定されなかったメッセージを無視してもよい。
【０１１３】
１２０４において、ＭＩＴデバイスは、センサデータを介して（例えば、加速度計又はジャイロスコープから）動きを検出できる。いくつかの実現形態では、１２０６において、ＭＩＴデバイスは、動きに応答して別のインタフェース（例えば、ＢＴ／ＢＬＥ）をアクティブ化することができ、ビーコンを定期的に出力することができる。ビーコンの周期数及び数は、位置、動きのタイプ、動きの継続時間、関連付けられたデバイスの近接などを含む様々な要因に依存し得る。
【０１１４】
１２０８において、ＭＩＴデバイスは、動きが終了したこと、及びＭＩＴデバイスが別のデバイス（例えば、関連付けられたデバイス）との位置更新動作を実行したこと、を判定できる。その後、ＭＩＴデバイスは低電力モードに戻り、スキャンウィンドウを介して監視を再開することができる。
【０１１５】
図１３を参照すると、１３０２において、低電力無線インタフェース（例えば、ウェイクアップ無線機及び／又はウェイクアップ受信機）、中電力無線インタフェース（例えば、Ｂｌｕｅｔｏｏｔｈ（登録商標）（ＢＴ）及び／又はＢｌｕｅｔｏｏｔｈ（登録商標）  Ｌｏｗ  Ｅｎｅｒｇｙ（ＢＬＥ））、及び／又は高電力無線インタフェース（例えば、ＵＷＢ、６０ＧＨｚ）のうちのいずれか／全てを有するＭＩＴデバイス（ＭＩＴデバイス１０８など）が、低電力動作モードにあってもよい（例えば、低電力動作モードで動作する）。低電力モードでは、ＭＩＴデバイスは、低電力無線インタフェースを介して、ＭＩＴデバイスにアドレス指定されたメッセージ（例えば、ビーコン、ポーリング、プローブなど）を定期的にスキャンしてもよく、メッセージは、より高い電力無線インタフェースをアクティブ化するようにＭＩＴデバイスに信号で合図してもよい。メッセージは、関連付けられたデバイス（例えば、無線局１０６、無線ノード１０７及び／又はＡＰ１１２などの、ペアリングされたデバイス又は同じ若しくは関連するユーザアカウントに関連付けられたデバイス）から、又は関連付けられていないデバイス（例えば、異なるユーザアカウントに関連付けられたデバイス）から受信してもよい。いくつかの実施形態では、電池電力を節約するための低電力モードにある間は、ＭＩＴデバイスは規則的に（例えば、連続的に又は周期的に）送信しなくてもよい。更に、スキャンウィンドウ期間（例えば、ウィンドウの幅）及び間隔（例えば、間隔の周期）が設定されてもよく、又は、例えば、バッテリレベル、輻輳／干渉、時刻、センサデータなどの１つ以上の要因に応答して動的に調整されてもよい。加えて、ＭＩＴデバイスは、ＭＩＴデバイスに一意的にアドレス指定されたメッセージに、ＭＩＴデバイスを含むグループ（又はセット）にアドレス指定されたメッセージに、又は全てのＭＩＴデバイスにアドレス指定されたメッセージに、応答してもよい。ＭＩＴデバイスはまた、例えば、異なるＭＩＴデバイスに又はＭＩＴデバイスが属さないグループに一意的にアドレス指定されたメッセージなどの、ＭＩＴデバイスにアドレス指定されなかったメッセージを無視してもよい。
【０１１６】
１３０４において、ＭＩＴデバイスは、例えば、検出された動き、及び／又はスキャンウィンドウの間に受信されたメッセージに基づいて、少なくとも１つのより高い電力インタフェースをアクティブ化してもよい。１３０６において、ＭＩＴデバイスは、その現在位置が安全ゾーン、危険性ゾーン、又は何らかの他の定義されたゾーンに対応するかどうかを判定することができる。ゾーン（又は領域）は、任意の境界のある又は画定された空間（例えば、ジオフェンス領域）であり得る。１３０８において、ＭＩＴデバイスは、決定されたゾーンに基づいて、その挙動を適合させてもよい。例えば、ＭＩＴデバイスが安全ゾーン内にあると判断した場合、ＭＩＴデバイスは低電力モードに入り、ＭＩＴデバイスが電力節約を強化することを可能にするであろうスキャンウィンドウ設定を選択することができる。いくつかの実現形態では、ＭＩＴデバイスの動作設定を動的に調整して、目標動作継続期間、例えば、６か月、９か月、１２か月、１８か月、２４か月、３６か月などを実現することができる。別の例として、例えば交通シナリオにおいて、ＭＩＴデバイスが危険性（又は危険）ゾーンにあると、ＭＩＴデバイスが判断した場合、ＭＩＴデバイスがメッセージをより迅速に識別することを可能にするスキャンウィンドウ（例えば、より長い、より頻繁なスキャンウィンドウ）を、ＭＩＴデバイスが選択することができ、任意選択的に、より高い電力インタフェース（例えば、ＢＴ／ＢＬＥ）をアクティブ化してビーコンを能動的に送信することができる。危険性ゾーンでのＭＩＴデバイス設定は、ＭＩＴデバイスが、例えば危険性ゾーンを去ること、安全ゾーンに入ること、ＭＩＴデバイスが紛失したと判定すること（例えば、別のデバイスとの接触が閾値期間にわたって行われていなかった後で、及び／又は既知のゾーンの外部に位置している場合に）、などのイグジットイベントを判定するまで維持され得る。
【０１１７】
１３１０において、いったんトリガ条件が満足されると、ＭＩＴデバイスは低電力モードに戻ってもよい。例えば、別のデバイスとの接触を確立した後、位置更新動作が成功した後、安全ゾーンに戻った後、動き停止時点で、関連付けられたデバイスを近接して検出した時点でなど、ＭＩＴデバイスは、より低電力の動作モードに戻ることができる。
【０１１８】
図１４を参照すると、１４０２において、低電力無線インタフェース（例えば、ウェイクアップ無線機及び／又はウェイクアップ受信機）、中電力無線インタフェース（例えば、Ｂｌｕｅｔｏｏｔｈ（登録商標）（ＢＴ）及び／又はＢｌｕｅｔｏｏｔｈ（登録商標）  Ｌｏｗ  Ｅｎｅｒｇｙ（ＢＬＥ））、及び／又は高電力無線インタフェース（例えば、ＵＷＢ、６０ＧＨｚ）のうちのいずれか／全てを有するＭＩＴデバイス（ＭＩＴデバイス１０８など）が、低電力動作モードにあってもよい（例えば、低電力動作モードで動作する）。低電力モードでは、ＭＩＴデバイスは、低電力無線インタフェースを介して、ＭＩＴデバイスにアドレス指定されたメッセージ（例えば、ビーコン、ポーリング、プローブなど）を定期的にスキャンしてもよく、メッセージは、より高い電力無線インタフェースをアクティブ化するようにＭＩＴデバイスに信号で合図してもよい。メッセージは、関連付けられたデバイス（例えば、無線局１０６、無線ノード１０７及び／又はＡＰ１１２などの、ペアリングされたデバイス又は同じ若しくは関連するユーザアカウントに関連付けられたデバイス）から、又は関連付けられていないデバイス（例えば、異なるユーザアカウントに関連付けられたデバイス）から受信してもよい。いくつかの実施形態では、電池電力を節約するための低電力モードにある間は、ＭＩＴデバイスは規則的に（例えば、連続的に又は周期的に）送信しなくてもよい。更に、スキャンウィンドウ期間（例えば、ウィンドウの幅）及び間隔（例えば、間隔の周期）が設定されてもよく、又は、例えば、バッテリレベル、輻輳／干渉、時刻、センサデータなどの１つ以上の要因に応答して動的に調整されてもよい。加えて、ＭＩＴデバイスは、ＭＩＴデバイスに一意的にアドレス指定されたメッセージに、ＭＩＴデバイスを含むグループ（又はセット）にアドレス指定されたメッセージに、又は全てのＭＩＴデバイスにアドレス指定されたメッセージに、応答してもよい。ＭＩＴデバイスはまた、例えば、異なるＭＩＴデバイスに又はＭＩＴデバイスが属さないグループに一意的にアドレス指定されたメッセージなどの、ＭＩＴデバイスにアドレス指定されなかったメッセージを無視してもよい。
【０１１９】
１４０４において、ＭＩＴデバイスは、例えば、検出された動き、及び／又はスキャンウィンドウの間に受信されたメッセージに基づいて、少なくとも１つのより高い電力インタフェースをアクティブにしてもよい。１４０６において、ＭＩＴデバイスは、紛失した（例えば、紛失状態にある）と判定することができる。例えば、ＭＩＴデバイスが、閾値継続時間を超えて別のデバイスと接触していない、及び／又は既知のゾーンの外部に位置している、ことをＭＩＴデバイスは判定できる。１４０８において、それが紛失したと判定したことに応答して、ＭＩＴデバイスは、少なくとも１つのより高い電力インタフェースが定期的にアクティブ化されるモードに遷移することができる（例えば、紛失状態に基づいて挙動を適合させる）。例えば、ＭＩＴデバイスは、中電力インタフェース（例えば、ＢＴ／ＢＬＥ）をアクティブ化することができ、１つ以上のビーコンを定期的に送信することができる。ビーコン周期、ビーコン間隔、及び送信されるビーコンの数は、電力を節約するために、発見の確率を増加させるために、又はその両方のために選択することができる。更に、１つ以上のビーコン用の送信電力を変化させることができる。例えば、ビーコン送信電力は、様々な範囲をカバーするように、循環式に変化させることができる（例えば、−２５ｄＢｍ、−１０ｄＢｍ、０ｄＢｍ、＋４ｄＢｍ）。任意の数の様々な送信電力値を使用することができ、示される電力は単なる例示である。
【０１２０】
更に、使用される送信電力の数及び値、並びにタイミングは、様々な要因、例えば、残っている電池電力、時刻、光量、別のデバイスとの最後の接触からの時間の長さ、に基づいて変化させることができる。例えば、十分な電池電力が残っている間（例えば、５０％超、５０％〜２０％、１０％超など）は、より積極的なビーコン送信ができる。より積極的なビーコン送信を、人が存在する可能性が高い時に（例えば、ＭＩＴデバイスのクロック、組み込まれた光センサ、検出されたＲＦ信号などに基づいて）実施することもできる。同様に、例えば、電池電力が所定のレベルを下回った場合、ＭＩＴデバイスは、人が存在する可能性が低い期間などの間に、より節約的なビーコンに遷移することができる。
【０１２１】
１４１０において、いったんトリガ条件が満足されると、ＭＩＴデバイスは低電力モードに戻ってもよい。例えば、別のデバイスとの接触を確立した後、位置更新動作が成功した後、安全ゾーンに戻った後、動き停止時点で、関連付けられたデバイスを近接して検出した時点でなど、ＭＩＴデバイスは、より低電力の動作モードに戻ることができる。
【０１２２】
図１５は、いくつかの実施形態による、ＭＩＴデバイス用にスキャンする例示的方法を示す。図１５に示す方法は、他のデバイスの中でもとりわけ、上記の図に示されたシステム又はデバイスのいずれかと共に使用されてもよい。様々な実施形態では、図示の方法要素の一部は、同時に実行してもよく、図示のものとは異なる順序で実行してもよく、又は省略してもよい。要望に応じて、追加の方法要素も実行されてもよい。示されるように、この方法は、以下のように動作してもよい。
【０１２３】
１５０２において、無線デバイス（例えば、無線局１０６、無線ノード１０７、及び／又はＡＰ１１２）は、１つ以上のＭＩＴデバイス（又は、ＭＩＴデバイス１０８などのタグ、トランスポンダなど）にメッセージを送信してもよい。無線デバイスは、ＭＩＴデバイスの１つ以上に関連付けられ得る。例えば、デバイスは、ユーザアカウントに関連付けられ、更に、１つ以上のＭＩＴデバイス（共通ユーザアカウント）にも関連付けられているか、又は以前にＭＩＴデバイスとペアリングされた、コンパニオンデバイス（例えば、電話又はモバイルコンピューティングデバイス）であってもよい。無線デバイスは、（例えば、位置決定される対象物に関連付けられた）特定のＭＩＴデバイス、（例えば、共通のタイプの、又は関連付けを介してリンクされた）ＭＩＴデバイスのセット、又は全体的に全てのＭＩＴデバイス、にメッセージをアドレス指定することができる。更に、メッセージは、ＭＩＴデバイスの低電力インタフェース（例えば、ウェイクアップ無線機及び／又はウェイクアップ受信機）によって受信できるインタフェースを使用して送信できる。
【０１２４】
１５０４において、無線デバイスは、１つ以上のＭＩＴデバイスのＭＩＴデバイスとの通信を、中電力インタフェースを介して確立してもよい。いくつかの実施形態では、メッセージを受信した時点で、ＭＩＴデバイスは、Ｂｌｕｅｔｏｏｔｈ（登録商標）（ＢＴ）又はＢＴ低エネルギー（ＢＬＥ）インタフェースなどの中電力（及び範囲）インタフェースをアクティブ化してもよいことに留意されたい。場合によっては、無線デバイスは、ＭＩＴデバイスを位置決定するために、中電力インタフェースを介した通信を利用することができる。例えば、無線デバイスは、可聴信号、視覚信号（例えば、光）、及び／又は触覚信号などの１つ以上の信号を出力するように、ＭＩＴデバイスに指示できる。加えて又は代替として、無線デバイス及びＭＩＴデバイスは、位置決定動作を実行するために信号情報（例えば、信号強度測定値（ＲＳＳＩ））を使用できる。その他の場合、無線デバイスは、ＵＷＢインタフェースなどの高電力インタフェースをアクティブ化するようにＭＩＴデバイスに指示して、（例えば、ＭＩＴデバイスの位置を決定する他の方法と比較して）より正確な位置情報を提供してもよい。いくつかの実施形態では、無線デバイス及びＭＩＴデバイスは、位置決定動作のために単一のインタフェース又は複数のインタフェースを使用できる。
【０１２５】
１５０６において、無線デバイスは、位置インタフェースを、例えば、ディスプレイ上に提示してもよい。位置インタフェースは、ライブ画像（例えば、カメラフィード）又はレンダリング（例えば、地図、ブランク画面など）である場合があり、また、ＭＩＴデバイスの位置に対応する１つ以上の位置インジケータを含んでもよい。例えば、１つ以上の矢印、ドット、円、又は他のそのようなインジケータである。更に、１つ以上の位置インジケータは、ＭＩＴデバイスの位置に関する更なる情報を提供するために、例えば、サイズ、色、形状、及び／又は強度が変化し得る。いくつかの実施形態では、無線デバイスは、高電力インタフェースがアクティブである場合にのみ、位置インタフェースを提示してもよい。
【０１２６】
１５０８において、いったんＭＩＴデバイスの位置が（例えば、高電力インタフェースを介して）判定されると、無線デバイスは、例えば、バッテリ消費を削減するために、高電力インタフェースを非アクティブ化するようにＭＩＴデバイスに命令する１つ以上のメッセージを送信してもよい。更に、無線デバイスは、ＭＩＴデバイスに、１つ以上の他のインタフェースを非アクティブ化するように、及び／又は１つ以上の出力（例えば、可聴、視覚、触覚）を終了させるように命令してもよい。加えて、命令は、例えば、低電力インタフェース（例えば、ウェイクアップ無線機及び／又はウェイクアップ受信機）を介してウェイクアップ信号を定期的にスキャンする低電力動作モードに、ＭＩＴデバイスを戻すように指示してもよい。
【０１２７】
（ＭＩＴデバイス使用の実施形態）
いくつかの実施形態では、ＭＩＴデバイス１０８などのマルチインタフェーストランスポンダ（ＭＩＴ）デバイスは、例えば、送金用の及び／又は決済装置としての金融用デバイスとして使用されてもよい。例えば、ＭＩＴデバイスを送金するために使用して、前払い式交通カード、ギフトカード、又は他のそのようなカード実現形態などの、ストアドバリューカード又はキャッシュオンカード（cash-on-card）として機能させてもよい。例えば、ＭＩＴデバイスは、通信回路、１つ以上のセンサ、プロセッサ、メモリ、電源などに加えて、セキュアプロセッサ及び／又はセキュアストレージを含むことができる。そのような実施形態では、ＭＩＴデバイスは、例えば、コンパニオンデバイスなしで、スタンドアロンモードで（又はスタンドアロンデバイスとして）動作してもよい。いくつかの実施形態では、ＭＩＴデバイスは、アカウント（例えば、クレジットカード、デビットカード、チェッキング及び／又はセイビングアカウントなどの銀行アカウント）、又は金融プール（例えば、銀行アカウントに直接関連付けられていないが、サービスによりスティングされた事前資金供給アカウントなど）に関連付けられてもよい。いくつかの実施形態では、ＭＩＴデバイスは、「タップ決済（tap to pay）」動作のための超広帯域インタフェースを使用するために有効化されて、それにより、高レベルのトランザクションセキュリティが可能になり得る。いくつかの実施形態では、ＭＩＴデバイスは、例えば、Ｖｅｎｍｏ、ＰａｙＰａｌ、Ａｐｐｌｅ  Ｐａｙなどの第三者サービスを介してお金を貸すことが可能な貸し付けデバイスとして実現されてもよい。
【０１２８】
別の例として、ＭＩＴデバイスは、近隣内の隣人の間及び／又はソーシャルグループのメンバー間など、ユーザのコミュニティ間で共有される物品に取り付け（又は関連付け）られてもよい。いくつかの実施形態では、ＭＩＴデバイスは、物品を追跡すること（例えば、最後のユーザ、最後及び／又は現在の位置）、及び物品に関連付けられた情報（例えば、ユーザ、位置、使用量など）を維持することを支援してもよい。同様に、ＭＩＴデバイスは、企業、スポーツチーム、コミュニティなどのための在庫追跡（例えば、典型的にはユーザに割り当てられた又はユーザと共有された物品に取り付けられた／関連付けられた）のために実現されてもよい。
【０１２９】
いくつかの実施形態では、ＭＩＴデバイス１０８などのマルチインタフェーストランスポンダ（ＭＩＴ）デバイスは、例えば訪問者の確認のための、識別の形態として使用されてもよい。例えば、いくつかの実施形態では、ＭＩＴデバイスは、人物の識別情報のデジタル表現になり得る。いくつかの実施形態では、ＭＩＴデバイスは、例えば、セキュアメモリ内に、トークンなどの認証情報を記憶できる。更に、認証情報は、セキュアな復号及び認証を可能にする形態で暗号化されてもよい。表現は、人物の説明、画像、現在位置、及び／又は意図される位置を含んでもよい。いくつかの実施形態では、ユーザは、ＭＩＴデバイスをスキャンし、ＭＩＴデバイスの位置及び人物の識別情報を確認してもよい。例えば、（例えば、ＡＰ１１２、無線局１０６、及び／又は無線ノード１０７などの無線デバイスを介して）、ＭＩＴデバイスをスキャンする時点で、ユーザには、人物を識別する写真、人物の意図した場所のログなどの人物の識別情報を確認するための情報が提供されてもよい。いくつかの実施形態では、スキャンは、例えば、識別情報の確認のための、及び／又は侵入を認可するための、又は反対に、侵入を許可せずに警備に通知するための、ホームセキュリティシステムを介して実現されてもよい。別の例として、ＭＩＴデバイスは、例えば、オンライン注文の店舗での受け取り、受け取った出荷物に対する署名などを可能にするために、信頼チェーンの一部に実現されてもよい。
【０１３０】
（更なる実施形態）
いくつかの実施形態では、例えば、本明細書に記載されるようなマルチインタフェーストランスポンダデバイス（ＭＩＴ）は、（例えば、インタフェースをサポートするための）１つ以上の無線機、少なくとも１つのアンテナ、メモリ、及び１つ以上のプロセッサ（例えば、処理回路、処理要素など）を含んでもよい。いくつかの実施形態では、１つ以上の無線機は、Ｂｌｕｅｔｏｏｔｈ（登録商標）（ＢＴ）無線機（例えば、Ｂｌｕｅｔｏｏｔｈ（登録商標）  Ｌｏｗ  Ｅｎｅｒｇｙを含むＢｌｕｅｔｏｏｔｈ（登録商標）の様々な形態をサポートする任意の無線機）、超広帯域（ＵＷＢ）無線機、及び／又は超低電力無線機（例えば、ウェイクアップ無線機及び／又はウェイクアップ受信機など）のうちの１つ以上を含んでもよい。加えて、いくつかの実施形態では、ＭＩＴデバイスは、動き感知回路（例えば、ジャイロスコープ、加速度計、及び／又は任意の様々な他の動き感知構成要素）を含んでもよい。
【０１３１】
いくつかの実施形態では、ＭＩＴデバイスは、
第２の無線機が無効になる低電力モードに入り、
低電力モードにある間に、隣接無線デバイスからウェイクアップ信号を受信し、
ウェイクアップ信号の受信に応答して、より高い電力モードに遷移した後に、より高い電力モードにおいて有効化された第２の無線機を介してビーコンを送信する、ように構成されてもよい。いくつかの実施形態では、ウェイクアップ信号は、例えば、隣接無線デバイスとのＵＬＰ／ＬＰ通信を介して、超低電力無線によって受信されてもよい。
【０１３２】
いくつかの実施形態では、隣接無線デバイスは、コンパニオンデバイスを備えてもよい。いくつかの実施形態では、位置サーバへの登録において、コンパニオンデバイスがＭＩＴデバイスを支援したかもしれない。いくつかの実施形態では、コンパニオンデバイス及びＭＩＴデバイスは、位置サーバと関連付けられていてもよい。いくつかの実施形態では、ＭＩＴは、
隣接無線デバイスから、ＭＩＴデバイスに関連付けられた位置が位置サーバで更新されたという指示を受信し、
指示に少なくとも部分的に基づいて、低電力モードに遷移する、ように構成されてもよい。
いくつかの実施形態では、ウェイクアップ信号は、送信速度を示してもよい。いくつかの実施形態では、送信速度は、隣接無線デバイスによって検出された輸送モード、及び／又は隣接無線デバイスによって検出された予想される媒体輻輳のうちの１つ以上に少なくとも部分的に基づいてもよい。いくつかの実施形態では、ウェイクアップ信号は、送信電力を示し得る。いくつかの実施形態では、送信電力は、隣接無線デバイスによって検出された輸送モード、及び／又は隣接無線デバイスによって検出された予想される媒体輻輳のうちの１つ以上に少なくとも部分的に基づいてもよい。
【０１３３】
いくつかの実施形態では、第２の無線機は、超広帯域無線機を備えてもよい。
【０１３４】
いくつかの実施形態では、隣接無線デバイスは、非コンパニオンデバイスを備えてもよい。いくつかの実施形態では、非コンパニオンデバイス及びＭＩＴデバイスは、位置サーバと関連付けられていてもよい。
【０１３５】
いくつかの実施形態では、ウェイクアップ信号は、第１の無線機を介して受信されてもよい。いくつかの実施形態では、第１の無線機は、Ｂｌｕｅｔｏｏｔｈ（登録商標）無線機及び／又は超低電力無線機（例えば、ウェイクアップ無線機及び／又はウェイクアップ受信機など）のうちの１つを備えてもよい。
【０１３６】
いくつかの実施形態では、ＭＩＴは、コンパニオンデバイスと通信してからの継続時間に少なくとも部分的に基づいてＭＩＴデバイスの第１の状態を判定し、第１の状態に基づいて紛失動作モードに遷移するように更に構成されていてもよい。いくつかの実施形態では、位置サーバへの登録において、コンパニオンデバイスがＭＩＴデバイスを支援したかもしれない。いくつかの実施形態では、コンパニオンデバイス及びＭＩＴデバイスは、位置サーバと関連付けられていてもよい。いくつかの実施形態では、紛失動作モードにある場合、ＭＩＴデバイスは、第１の無線機を介して、１日の第１の部分の間に第１の周期的間隔にてビーコンを送信し、第１の無線機を介して、１日の第２の部分の間に第２の周期的間隔にてビーコンを送信するように構成されていてもよい。いくつかの実施形態では、１日の第１の部分は、少なくとも部分的に昼間時間に対応してもよく、１日の第２の部分は、少なくとも部分的に昼間以外の時間に対応してもよい。いくつかの実施形態では、第２の周期的間隔は、第１の周期的間隔より長くてもよい。いくつかの実施形態では、ＭＩＴデバイスは、継続時間又は時刻のうちの１つに少なくとも部分的に基づいて、第１の無線機を介して送信されるビーコンの送信電力を増加させるように構成されていてもよい。いくつかの実施形態では、第１の無線機はＢｌｕｅｔｏｏｔｈ（登録商標）無線機を備えてもよい。いくつかの実施形態では、ＭＩＴデバイスの第１の状態は、隣接無線デバイスからの位置更新又は信号受信の指示からの継続時間に少なくとも部分的に更に基づいてもよい。
【０１３７】
いくつかの実施形態では、ＭＩＴデバイスは、
少なくとも１つのプロセッサと通信する超広帯域（ＵＷＢ）無線機が無効にされる低電力モードで動作し、
低電力モードで動作している間に、隣接無線デバイスからウェイクアップ信号を受信し、
ウェイクアップ信号の受信に応答して、低電力モードから遷移して出てＵＷＢ無線機を有効にする命令を生成し、
ＵＷＢ無線機を介して、隣接無線デバイスに位置ビーコンを送信する命令を生成する、ように構成されていてもよい。いくつかの実施形態では、ウェイクアップ信号は、例えば、隣接無線デバイスとのＵＬＰ／ＬＰ通信を介して、超低電力無線によって受信されてもよい。
【０１３８】
いくつかの実施形態では、ウェイクアップ信号は、少なくとも１つのプロセッサと通信するＢｌｕｅｔｏｏｔｈ（登録商標）無線機又は超低電力無線機（例えば、ウェイクアップ無線機及び／又はウェイクアップ受信機など）のうちの１つを介して受信されてもよい。
【０１３９】
いくつかの実施形態では、ウェイクアップ信号は、位置ビーコンについての送信速度及び送信電力を示してもよい。
【０１４０】
いくつかの実施形態では、ＭＩＴデバイスは、
隣接無線デバイスから、ＭＩＴデバイスに関連付けられた位置が位置サーバで更新されたという指示を受信し、
低電力モードに遷移させＵＷＢ無線機を無効にするための命令を生成する、ように更に構成されていてもよい。
【０１４１】
いくつかの実施形態では、ウェイクアップ信号は、位置ビーコンについての送信速度及び送信電力を示してもよい。いくつかの実施形態では、送信速度及び送信電力の各々は、隣接無線デバイスによって検出された輸送モード、及び／又は隣接無線デバイスによって検出された予想される媒体輻輳のうちの１つ以上に少なくとも部分的に基づいてもよい。
【０１４２】
いくつかの実施形態では、ＭＩＴデバイスは、
第１の送信速度及び第１の送信電力にて位置ビーコンをブロードキャストし、
トリガ条件の検出に応答して、第１の送信速度を第２の送信速度に増加させ、
第２の送信速度及び第１の送信電力にて位置ビーコンをブロードキャストする、ように構成されていてもよい。
【０１４３】
いくつかの実施形態では、トリガ条件は、コンパニオンデバイスがＭＩＴデバイスから閾値距離を超えて移動したという指示の受信を含んでもよい。いくつかの実施形態では、指示は、第１の無線機を介して受信されてもよく、位置ビーコンは、第２の無線機を介して送信されてもよい。いくつかの実施形態では、閾値距離は約１メートルであってもよい。
【０１４４】
いくつかの実施形態では、ＭＩＴデバイスは、
送信電力を第２の送信電力に増加させる指示であって、媒体輻輳に少なくとも部分的に基づく指示を、コンパニオンデバイスから受信し、
位置ビーコンを第２の送信電力にてコンパニオンデバイスに送信する、ように構成されていてもよい。
【０１４５】
いくつかの実施形態では、第１の送信速度及び第１の送信電力にて位置ビーコンをブロードキャストする前に、ＭＩＴデバイスは、
第２の無線機が無効になる低電力モードで動作している間に、輸送モードにおける遷移の指示をコンパニオンデバイスから受信し、
指示に基づき、第２の無線機が有効にされる、より高い電力モードに遷移する、ように構成されていてもよい。
いくつかの実施形態では、ＭＩＴデバイスは、
輸送モードにおける遷移の終了の指示をコンパニオンデバイスから受信し、
指示に応答して、低電力状態に遷移して戻る、ように構成されていてもよい。
【０１４６】
いくつかの実施形態では、トリガ条件は、輸送モードにおける遷移の検出を含んでもよい。遷移は、輸送モードの停止を含んでもよい。いくつかの実施形態では、判定は、ＭＩＴデバイスの速度の変化に基づいてもよい。
【０１４７】
いくつかの実施形態では、ＭＩＴデバイスは、
第１の電力状態にある間に、第１のインタフェース（例えば、１つ以上の無線機の第１の無線機によってサポートされる）及び／又はＭＩＴデバイスの動き感知回路のうちの１つを介して、検出可能なイベントの検出に少なくとも部分的に基づいて、第２の電力状態に遷移することを決定し、
第１の電力状態から第２の電力状態へと遷移し、
第２の電力状態にある間に、ＭＩＴデバイスの（例えば、１つ以上の無線機のうちの第２の無線機によってサポートされる）第２のインタフェース、又は（例えば、１つ以上の無線機のうちの第３の無線機によってサポートされる）第３のインタフェースのうちの１つを介して、１つ以上のビーコンを送信し、
第２の電力状態にある間に、隣接無線デバイスから、ＭＩＴデバイスに関連付けられた位置が位置サーバで更新されたという指示を受信し、
少なくとも部分的に指示に基づいて、第３の電力状態に遷移するように決定する、ように構成されていてもよい。
いくつかの実施形態では、第２のインタフェース又は第３のインタフェースの選択は、少なくとも部分的に検出されたイベントに基づいてもよい。いくつかの実施形態では、隣接無線デバイス及びＭＩＴデバイスはそれぞれ、位置サーバに関連付けられていてもよい。
【０１４８】
いくつかの実施形態では、第１のインタフェースは、超低電力無線周波数（ＲＦ）インタフェース（例えば、ウェイクアップ無線機及び／又はウェイクアップ受信機など）であってもよい。換言すれば、第１の無線機は、いくつかの実施形態では、超低電力無線機であってもよい。いくつかの実施形態では、第１のインタフェースはＢｌｕｅｔｏｏｔｈ（登録商標）（ＢＴ）インタフェースであってもよい。したがって、第１の無線機は、いくつかの実施形態では、Ｂｌｕｅｔｏｏｔｈ（登録商標）無線機であってもよい。
【０１４９】
いくつかの実施形態では、第２のインタフェースは、Ｂｌｕｅｔｏｏｔｈ（登録商標）インタフェース及び超広帯域（ＵＷＢ）無線周波数（ＲＦ）インタフェースのうちの１つであってもよく、第３のインタフェースは、（ＢＴ）Ｂｌｕｅｔｏｏｔｈ（登録商標）インタフェース及びＵＷＢ  ＲＦインタフェースのうちの１つであってもよい。換言すれば、第２及び第３の無線機は、いくつかの実施形態では、ＢＴ無線機及び／又はＵＷＢ無線機のうちの１つであってもよい。
【０１５０】
いくつかの実施形態では、第１のインタフェースを介して検出可能なイベントは、コンパニオンデバイスからウェイクアップ信号を受信することを含んでもよい。いくつかの実施形態では、ウェイクアップ信号は、第２の電力状態に遷移させるための命令を含んでもよい。いくつかの実施形態では、命令は、例えば、第３のインタフェースがＵＷＢ  ＲＦインタフェースを含む場合に、ＭＩＴデバイスが第３のインタフェースをアクティブ化することを指示してもよい。いくつかの実施形態では、命令は、例えば、第２のインタフェースがＢＴインタフェースを備える場合に、ＭＩＴデバイスが第２のインタフェースをアクティブ化することを指示してもよい。
【０１５１】
いくつかの実施形態では、命令は、送信速度を示してもよい。いくつかの実施形態では、送信速度は、コンパニオンデバイスによって検出された輸送モードに少なくとも部分的に基づいてもよい。いくつかの実施形態では、送信速度は、コンパニオンデバイスによって検出されるような予想される媒体輻輳に少なくとも部分的に基づいてもよい。
【０１５２】
いくつかの実施形態では、命令は、送信電力を示してもよい。いくつかの実施形態では、送信電力は、コンパニオンデバイスによって検出された輸送モードに少なくとも部分的に基づいてもよい。いくつかの実施形態では、送信電力は、コンパニオンデバイスによって検出された予想される媒体輻輳に少なくとも部分的に基づいてもよい（及び／又は更に基づいてもよい）。
【０１５３】
いくつかの実施形態では、隣接無線デバイスは、位置サーバへの登録において、ＭＩＴデバイスを支援したかもしれないコンパニオンデバイスであってもよい。いくつかの実施形態では、隣接無線デバイスは、位置サーバと関連付けられてもよい非コンパニオンデバイスであってもよい。
【０１５４】
いくつかの実施形態では、ＭＩＴデバイスは、
コンパニオンデバイスと通信してからの継続時間に少なくとも部分的に基づいて、ＭＩＴデバイスの第１の状態を判定し、
第１の状態に基づいて第１の動作モードに遷移する、ように構成されていてもよい。
いくつかの実施形態では、第１の動作モードは、１日の第１の部分の間に第１の周期的間隔で第１のインタフェースを介してビーコンを送信すること、１日の第２の部分の間に第２の周期的間隔で第１のインタフェースを介してビーコンを送信すること、及び／又は、継続時間及び／又は時刻のうちの１つに少なくとも部分的に基づいてビーコンの送信電力を増加させること、のうちの、いずれか、これらのいずれかの組み合わせ、及び／又はこれらの全てを含んでもよい。いくつかの実施形態では、１日の第１の部分は、少なくとも部分的に昼間時間に対応してもよい。いくつかの実施形態では、１日の第２の部分は、少なくとも部分的に昼間以外の時間に対応してもよい。いくつかの実施形態では、第２の周期的間隔は、第１の周期的間隔より長くてもよい。
【０１５５】
いくつかの実施形態では、ＭＩＴデバイスの第１の状態は、隣接デバイスからの位置更新及び／又は信号受信の指示からの継続時間に少なくとも部分的に更に基づいてもよい。
【０１５６】
いくつかの実施形態では、第１の周期的間隔は、少なくとも部分的に送信電力に基づいて調整されてもよい。
【０１５７】
いくつかの実施形態では、ＭＩＴデバイスは、
隣接無線デバイスから信号を受信し、
信号を受信したことに応答して、送信周波数及び／又は送信電力を増加させる、ように更に構成されていてもよい。
【０１５８】
いくつかの実施形態では、第１の動作モードは、省電力期間を更に含んでもよい。いくつかの実施形態では、省電力期間は、１日の第１の部分又は第２の部分の少なくとも１０倍の長さであってもよい。いくつかの実施形態では、省電力期間は、１日の第１の部分又は第２の部分の少なくとも１００倍の長さであってもよい。いくつかの実施形態では、省電力期間は、１日の第１の部分又は第２の部分の少なくとも１０００倍の長さであってもよい。
【０１５９】
いくつかの実施形態では、第１のインタフェースはＢｌｕｅｔｏｏｔｈ（登録商標）インタフェースであってもよい。
【０１６０】
いくつかの実施形態では、ＭＩＴデバイスは、
第１のインタフェースを介して、第１の電力状態にある間に、輸送モードにおける遷移の指示をコンパニオンデバイスから受信し、
指示に応答して、第２の電力状態に遷移し、
第２のインタフェースを介して、１つ以上のビーコンを第１の送信速度及び第１の送信電力にてコンパニオンデバイスに送信する、ように構成されていてもよい。
いくつかの実施形態では、第２の電力状態へと遷移することにより、第２のインタフェースがアクティブ化されてもよい。いくつかの実施形態では、第２のインタフェースは、第１のインタフェースよりも多くの電力を消費してもよい。
【０１６１】
いくつかの実施形態では、第１のインタフェースは、超低電力のウェイクアップ無線周波数インタフェースであってもよい。いくつかの実施形態では、第２のインタフェースは、Ｂｌｕｅｔｏｏｔｈ（登録商標）インタフェース、又は超広帯域ＲＦインタフェースのうちの１つであってもよい。
【０１６２】
いくつかの実施形態では、ＭＩＴデバイスは、
輸送モードにおける遷移の終了の指示をコンパニオンデバイスから受信し、
指示に応答して、第１の電力状態に遷移して戻る、ように構成されていてもよい。
【０１６３】
いくつかの実施形態では、ＭＩＴデバイスは、
コンパニオンデバイスがＭＩＴデバイスから閾値距離を超えて移動したという指示を、コンパニオンデバイスから受信し、
指示に応答して、１つ以上のビーコンの送信速度を増加させる、ように更に構成されていてもよい。
【０１６４】
いくつかの実施形態では、閾値距離は約１メートルであってもよい。いくつかの実施形態では、閾値距離は、２フィートより大きく、３フィート未満であってもよい。
【０１６５】
いくつかの実施形態では、ＭＩＴデバイスは、送信電力を増加させる指示をコンパニオンデバイスから受信するように更に構成されていてもよく、この指示は、少なくとも部分的に媒体輻輳に基づいている。
【０１６６】
いくつかの実施形態では、コンパニオンデバイスは、ユーザ機器デバイス又はウェアラブルデバイスのうちの少なくとも１つであってもよい。
【０１６７】
いくつかの実施形態では、輸送モードは、車両、列車、ボート、又は飛行機のうちの少なくとも１つを含んでもよい。
【０１６８】
いくつかの実施形態では、例えば、本明細書に記載されるような、クライアント局及び／又は無線ノードなどの無線デバイスは、例えば、本明細書に記載されるようなマルチインタフェーストランスポンダ（ＭＩＴ）デバイスへのコンパニオンデバイスとして構成されていてもよい。無線デバイスは、（例えば、１つ以上のインタフェースをサポートする）１つ以上の無線機、少なくとも１つのアンテナ、メモリ、及び１つ以上のプロセッサ（例えば、処理回路、処理要素など）を含んでもよい。いくつかの実施形態では、１つ以上の無線機は、Ｂｌｕｅｔｏｏｔｈ（登録商標）（ＢＴ）無線機（例えば、Ｂｌｕｅｔｏｏｔｈ（登録商標）  Ｌｏｗ  Ｅｎｅｒｇｙを含むＢｌｕｅｔｏｏｔｈ（登録商標）の様々な形態をサポートする任意の無線機）、超広帯域（ＵＷＢ）無線機、超低電力無線機（例えば、ウェイクアップ無線機及び／又はウェイクアップ受信機など）、及び／又はセルラ無線機のうちの１つ以上を含んでもよい。加えて、いくつかの実施形態では、無線デバイスは、動き感知回路（例えば、ジャイロスコープ、加速度計、及び／又は任意の様々な他の動き感知構成要素）を含んでもよい。
【０１６９】
いくつかの実施形態では、無線デバイスは、
超広帯域インタフェースをアクティブ化する命令をＭＩＴデバイスに送信し、
超広帯域通信を介して１つ以上の信号をＭＩＴデバイスから受信し、
受信された１つ以上の信号に基づいて、無線デバイスに対するＭＩＴデバイスの位置を判定し、
ユーザインタフェースを介して、無線デバイスに対するＭＩＴデバイスの位置の指示を表示し、
無線デバイスの移動に基づいて、無線デバイスに対するＭＩＴデバイスの位置を更新する、ように構成されていてもよい。
【０１７０】
いくつかの実施形態では、命令は、超低電力無線周波数信号を介して送信されてもよい。
【０１７１】
いくつかの実施形態では、指示は、無線デバイスのディスプレイ上に表示された地図を介して表示されてもよい。
【０１７２】
いくつかの実施形態では、指示は、無線デバイスに対するＭＩＴデバイスの位置の拡張現実レンダリングを含んでもよい。
【０１７３】
いくつかの実施形態では、無線デバイスは、ＭＩＴデバイスの位置を決定することに応答して、ＭＩＴデバイスに命令を送信して、ＭＩＴデバイスの超広帯域インタフェースを非アクティブ化するように更に構成されていてもよい。いくつかの実施形態では、無線デバイスは、ＭＩＴデバイスの位置を判定したことに応答して、位置更新メッセージを位置サーバに送信するように更に構成されていてもよい。
【０１７４】
上述のように、本技術の一態様は、特定の及び正当なソースから利用可能なデータを収集及び使用して、マルチインタフェーストランスポンダ（ＭＩＴ）デバイスの位置を追跡及び／又は更新することである。本開示は、場合によっては、この収集されたデータは、特定の人物を一意的に特定する、又は特定するために使用できる、個人情報データを含み得ることを意図している。そのような個人情報データは、人口統計データ、位置ベースのデータ、オンライン識別子、電話番号、電子メールアドレス、自宅住所、ユーザの健康又はフィットネスレベル（例えば、バイタルサイン測定、服薬情報、運動情報）に関するデータ若しくは記録、生年月日、又は任意の他の個人情報を含むことができる。
【０１７５】
本開示は、本技術におけるそのような個人情報データの使用がユーザの利益になる使用であり得る点を認識するものである。例えば、ＭＩＴデバイスの位置を追跡及び／又は更新することは、ユーザが、キー、荷物、音楽用品、スポーツ用具、バックパック、ブリーフケースなどの様々な重要な品目の位置を維持することを支援し得る。
【０１７６】
本開示は、そのような個人情報データの収集、分析、開示、転送、記憶、又は他の使用に関与するそれらエンティティが、確固たるプライバシーポリシー及び／又はプライバシー慣行を遵守するものとなることを意図している。具体的には、そのようなエンティティは、ユーザのプライバシーを維持するための業界又は政府の要件を満たす又は上回ると一般に認識されるプライバシー慣行を実現し、一貫して適用することが予想されるであろう。個人データの使用に関するそのような情報は目立つべきであり、ユーザによって容易にアクセス可能とするべきであり、データの収集及び／又は使用が変化するにつれて更新されるべきである。ユーザからの個人情報は、正当な使用のためのみに収集されるべきである。更に、そのような収集／共有は、ユーザの承諾を受けた後に、又は適用可能な法律に明記された他の正当な根拠に基づいて行われるべきである。更には、そのようなエンティティは、そのような個人情報データへのアクセスを保護して安全化し、その個人情報データへのアクセスを有する他者が、それらのプライバシーポリシー及び手順を遵守することを保証するための、あらゆる必要な措置を講じることを考慮するべきである。更には、そのようなエンティティは、広く受け入れられているプライバシーポリシー及び慣行に対する自身の遵守を証明するために、第三者による評価を自らが受けることができる。加えて、ポリシー及び慣行は、収集及び／又はアクセスされる具体的な個人情報データのタイプに適合されるべきであり、また、より高い基準を課す役割を担い得る管轄権固有の考慮事項を含めた、適用可能な法令及び基準に適合されるべきである。例えば、米国では、特定の健康データの収集又はアクセスは、医療保険の相互運用性と説明責任に関する法律（Health Insurance Portability and Accountability Act、ＨＩＰＡＡ）などの、連邦法及び／又は州法によって管理することができ、その一方で、他国における健康データは、他の規制及びポリシーの対象となり得るものであり、それに従って対処されるべきである。
【０１７７】
前述のことがらにも関わらず、本開示はまた、個人情報データの使用又は個人情報データへのアクセスを、ユーザが選択的に阻止する実施形態も想到する。すなわち、本開示は、そのような個人情報データへのアクセスを防止又は阻止するように、ハードウェア要素及び／又はソフトウェア要素を提供することができると想到する。
【０１７８】
更には、本開示の意図は、個人情報データを、非意図的若しくは非認可アクセス又は使用の危険性を最小限に抑える方法で、管理及び処理するべきであるという点である。データの収集を制限し、データがもはや必要とされなくなった時点で削除することによって、危険性を最小限に抑えることができる。更には、適用可能な場合、特定の健康関連アプリケーションにおいて、ユーザのプライバシーを保護するために、データの非特定化を使用することができる。非特定化は、適切な場合には、識別子を除去すること、記憶されたデータの量又は特異性を制御すること（例えば、位置データを住所レベルよりも都市レベルで収集すること）、データがどのように記憶されるかを制御すること（例えば、データをユーザ全体にわたって集約すること）、及び／又は差分プライバシーなどの他の方法によって、容易にしてもよい。
【０１７９】
それゆえ、本開示は、１つ以上の様々な開示された実施形態を実施するための、個人情報データの使用を広範に網羅するものではあるが、本開示はまた、そのような個人情報データにアクセスすることを必要とせずに、それらの様々な実施形態を実施することもまた可能であることを想到している。すなわち、本技術の様々な実施形態は、そのような個人情報データの全て又は一部分が欠如することにより、実施不可能となるものではない。例えば、ユーザのデバイス上でのみ扱われるコンテンツなどの集約された非個人情報データ、若しくは最小限の個人情報、又はコンテンツ配信サービスにとって利用可能な他の非個人情報、に基づいてコンテンツが選択されユーザへ配信され得る。
【０１８０】
本開示の実施形態は、様々な形態のうちのいずれかで実現することができる。例えば、いくつかの実施形態は、コンピュータにより実施される方法、コンピュータ可読記憶媒体、又はコンピュータシステムとして実現されてもよい。他の実施形態は、ＡＳＩＣなどのカスタム設計されたハードウェアデバイスの１つ以上を使用して、実現することができる。他の実施形態が、ＦＰＧＡなどの１つ以上のプログラム可能なハードウェア要素を使用して実現されてもよい。
【０１８１】
いくつかの実施形態では、非一時的コンピュータ可読記憶媒体は、プログラム命令及び／又はデータを記憶するように構成されてもよく、プログラム命令は、コンピュータシステムによって実行されると、コンピュータシステムに、本方法を、例えば、本明細書に記載された方法の実施形態のうちのいずれか、又は、本明細書に記載された方法の実施形態の任意の組み合わせ、又は、本明細書に記載された方法の実施形態のうちのいずれかの任意のサブセット、又は、そのようなサブセットの任意の組み合わせを実行させる。
【０１８２】
いくつかの実施形態では、無線デバイスは、プロセッサ（又はプロセッサのセット）と記憶媒体とを含むように構成されてもよく、記憶媒体は、プログラム命令を記憶し、プロセッサは、記憶媒体からプログラム命令を読み出し、それを実行するように構成され、プログラム命令は、本明細書に記載された様々な方法の実施形態（又は、本明細書に記載された方法の実施形態の組み合わせ、又は、本明細書に記載された方法の実施形態のうちのいずれかの任意のサブセット、又は、そのようなサブセットの任意の組み合わせ）のうちのいずれかを、無線デバイスに実現させるように実行可能である。デバイスは、様々な形態のいずれかにおいて実現されてもよい。
【０１８３】
上記実施形態がかなり詳細に説明されてきたが、上記開示が完全に認識されると、多数の変形形態及び修正形態が当業者にとって明らかになる。以下の特許請求の範囲は、全てのそのような変形形態及び修正形態を包含すると解釈されることを意図している。
【図１】
2020141403.tif 000003
【図２Ａ】
2020141403.tif 000004
【図２Ｂ】
2020141403.tif 000005
【図２Ｃ】
2020141403.tif 000006
【図３Ａ】
2020141403.tif 000007
【図３Ｂ】
2020141403.tif 000008
【図３Ｃ】
2020141403.tif 000009
【図４】
2020141403.tif 000010
【図５】
2020141403.tif 000011
【図６Ａ】
2020141403.tif 000012
【図６Ｂ】
2020141403.tif 000013
【図６Ｃ】
2020141403.tif 000014
【図７】
2020141403.tif 000015
【図８Ａ】
2020141403.tif 000016
【図８Ｂ】
2020141403.tif 000017
【図９】
2020141403.tif 000018
【図１０】
2020141403.tif 000019
【図１１】
2020141403.tif 000020
【図１２】
2020141403.tif 000021
【図１３】
2020141403.tif 000022
【図１４】
2020141403.tif 000023
【図１５】
2020141403.tif 000024
【外国語明細書】
2020141403000001.pdf